(57)【要約】【課題】画像を絵画調画像に変換する際に、素早く所望の変換を行った画像を見ることを可能にする。【解決手段】記憶されている本画像の縮小画像であるサムネイル１〜１６を表示させる（ステップＳ１０１）。この状態で任意のサムネイルをタッチすると、そのサムネイルを所定の画調（例えば油絵調）の画像に画調変換する（ステップＳ１０９、Ｓ１１１）。更にその画調変換されたサムネイルに再度タッチすると異なった画調の画像に変換する（例えば水彩画調）（ステップＳ１０９、Ｓ１１１の繰り返し）。一括変換ボタンをタッチすると、表示されているすべてのサムネイルを一括して所定の画調の画像に変換する（ステップＳ１０４）、いずれかの画調変換されたサムネイルにダブルタッチすると、変換確定とみなして本画像を画調変換してその変換画調画像を全画面表示する（ステップＳ１１６）。【選択図】図５
2011243187.tif 000002
【特許請求の範囲】
【請求項１】
本画像を表す画像データを複数記憶する記憶手段と、
前記本画像に対して縮小された画像である縮小画像を複数表示する表示手段と、
前記表示手段に表示されている縮小画像のいずれかを指定する画像指定手段と、
前記画像指定手段により指定された縮小画像に対して変換指示を行う変換指示手段と、
前記変換指示手段により指示された縮小画像に対して所定の画調変換処理を行い、変換画調画像を作成する画調変換手段と、
を具備するとともに、
前記画調変換手段は画像データを複数種類の画調に変換する手段を含み、
前記画像指定手段により縮小画像を指定するごとに前記画調変換手段は指定された画像データを異なる画調に変換し、前記表示手段は前記画調変換手段によって作成された変換画調画像を表示することを特徴とする画像表示装置。
【請求項２】
前記画像指定手段は本画像指定手段を有し、指定した縮小画像に対応する本画像に対し前記画調変換手段により画調変換処理を行うことを特徴とする請求項１記載の画像表示装置。
【請求項３】
前記画像指定手段は前記表示手段に表示されている複数の縮小画像を一括して指定する一括指定手段を有し、該一括指定手段による一括指定により前記画調変換手段は前記表示手段に表示されている複数の縮小画像に対し一括して画調変換処理を行うことを特徴とする請求項１記載の画像表示装置。
【請求項４】
前記画像指定手段は本画像指定手段を有し、指定した縮小画像に対応する本画像に対し前記画調変換手段により画調変換処理を行うことを特徴とする請求項３記載の画像表示装置。
【請求項５】
本画像を表す画像データを記憶する記憶手段と、
前記記憶手段に記憶されている画像データが表す本画像の縮小画像を複数表示する表示手段と、
前記表示手段に表示されている縮小画像のいずれかを指定する画像指定手段と、
前記画像指定手段により指定された縮小画像に対して変換指示を行う変換指示手段と、
前記変換指示手段により指示された縮小画像に対して所定の画調変換処理を行い、縮小変換画調画像を作成する画調変換手段と、
を具備し、
前記記憶手段は、前記本画像、前記縮小画像、及び前記縮小変換画調画像を組にして１つのファイルとして記憶することを特徴とする画像表示装置。
【請求項６】
前記記憶手段は、前記本画像に対して所定の画調変換処理を行った変換本画像も組にして、１つのファイルとして記憶することを特徴とする請求項５記載の画像表示装置。
【請求項７】
複数の本画像を表す画像データに対応する複数の縮小画像を並べて表示する画像表示方法において、
複数種類の画調に変換する画調変換手段を有し、
前記表示されている縮小画像のいずれかを複数回指定すると、指定するたびにその縮小画像が前記画調変換手段により変換された異なった画調の縮小画像にかわることを特徴とする画像表示方法。
【請求項８】
複数の本画像を表す画像データに対応する複数の縮小画像を並べて表示する請求項６記載の画像表示方法において、
前記表示されている複数の縮小画像を前記画調変換手段により一括して前記画調変換手段により変換された画調の縮小画像にかえることを特徴とする画像表示方法。
【請求項９】
複数の本画像を表す画像データに対応する複数の縮小画像を並べて表示する請求項７記載の画像表示方法において、
前記表示されている縮小画像を指定すると、前記画調変換手段によりその縮小画像に対応する本画像を表す画像データを画調変換することを特徴とする画像表示方法。
【請求項１０】
本画像を表す画像データを記憶するステップと、
記憶されている画像データにより表される本画像の縮小画像を複数表示するステップと、
表示されている縮小画像のいずれかが指定されると該指定された縮小画像に対して変換指示を行うステップと、
指示された縮小画像に対して所定の種類の画調への画調変換処理を行い、変換画調画像を作成するステップと、
表示されている縮小画像が複数回指定されると該指定された縮小画像に対して指定される毎に異なった種類の画調への画調変換処理を行い、変換画調画像を作成するステップと、
作成された変換画調画像を表示するステップと、
を有することを特徴とするコンピュータにより実行可能なプログラム。
【請求項１１】
本画像を表す画像データを記憶するステップと、
記憶されている画像データによりの縮小画像を複数表示するステップと、
表示されている縮小画像のいずれかが指定されると該指定された縮小画像に対して変換指示を行うステップと、
指示された縮小画像に対応する本画像の画像データに対して所定の種類の画調への画調変換処理を行い、変換画調画像を作成するステップと、
作成された変換画調画像を表示するステップと、
を有することを特徴とするコンピュータにより実行可能なプログラム。
【請求項１２】
本画像を表す画像データを複数記憶する記憶手段と、
表示手段と、
前記表示手段に、前記本画像に対して縮小された画像である縮小画像を複数表示する第１の表示制御手段と、
前記表示手段に表示された前記複数の縮小画像のいずれかを当該表示手段の画面上で指定する操作に応じて、当該指定された縮小画像を複数種類の画調のいずれかに変換する画調変換手段と、
前記画調変換手段により画調変換された変換画調画像を前記指定された縮小画像に代えて、前記表示手段に表示させる第２の表示制御手段と、
送り操作に応じて、前記表示手段に表示されている変換画調画像を残して、縮小画像を前記記憶手段に記憶されている本画像に対して縮小された他の縮小画像に表示変更する第３の表示制御手段と
を具備したことを特徴とする画像表示装置。
【請求項１３】
本画像を表す画像データを複数記憶する記憶手段と、
表示手段と、
前記表示手段に、前記本画像に対して縮小された画像である縮小画像を複数表示する第１の表示制御手段と、
前記表示手段に表示された前記複数の縮小画像のいずれかを当該表示手段の画面上で指定する操作に応じて、当該指定された縮小画像を複数種類の画調のいずれかに変換する画調変換手段と、
前記画調変換手段により画調変換された変換画調画像を前記指定された縮小画像に代えて、前記表示手段に表示させる第２の表示制御手段と、
送り操作に応じて、前記表示手段に表示されている変換画調画像を残して、縮小画像を前記記憶手段に記憶されている本画像に対して縮小された他の縮小画像に表示変更する第３の表示制御手段とを具備し、
前記画調変換手段は、更に前記表示手段に表示された変換画調画像を当該表示手段の画面上で指定する操作に応じて、当該指定された変換画調画像に対応する縮小画像を前記複数種類の画調のうち異なる種類の画調に変換し、
前記第２の表示制御手段は、更に前記画調変換手段により変換された異なる種類の画調の変換画調画像を前記指定された変換画調画像に代えて、前記表示手段に表示させることを特徴とする画像表示装置。
【請求項１４】
本画像を表す画像データを複数記憶する記憶手段と、
表示手段と、
前記表示手段に、前記本画像に対して縮小された画像である縮小画像を複数表示する第１の表示制御手段と、
前記表示手段に表示された前記複数の縮小画像のいずれかを当該表示手段の画面上で指定する操作に応じて、当該指定された縮小画像を複数種類の画調のいずれかに変換する画調変換手段と、
前記画調変換手段により画調変換された変換画調画像を前記指定された縮小画像に代えて、前記表示手段に表示させる第２の表示制御手段と、
送り操作に応じて、前記表示手段に表示されている絵画調画像を残して、縮小画像を他の縮小画像に表示変更する第３の表示制御手段とを具備し、
一括指定操作に応じて、前記表示手段に表示されている変換画調縮小画像に対応する本画像を、当該画調に変換する手段と、
を具備したことを特徴とする画像表示装置。
【請求項１５】
前記画調変換手段は、更に前記表示手段に表示された変換画調画像を選択する操作に応じて、当該選択された変換画調画像に対応する縮小画像の本画像を当該選択された変換画調画像の画調に変換することを特徴とする請求項１２ないし１４にいずれか記載の画像表示装置。
【請求項１６】
前記画調変換手段は、更に所定の操作に応じて、前記表示手段に表示されている全ての変換画調画像に対応する縮小画像の本画像を当該選択された変換画調画像の画調に変換することを特徴とする請求項１２ないし１４にいずれか記載の画像表示装置。
【請求項１７】
前記画調変換手段は、前記本画像の画調変換画像を前記記憶手段に記録する手段を備えることを特徴とする請求項１５又は１６記載の画像表示装置。
【請求項１８】
本画像を表す画像データを複数記憶する記憶手段と、表示手段とを具備する画像表示装置における画像表示方法であって、
前記表示手段に、前記本画像に対して縮小された画像である縮小画像を複数表示する第１の表示制御ステップと、
前記表示手段に表示された前記複数の縮小画像のいずれかを当該表示手段の画面上で指定する操作に応じて、当該指定された縮小画像を複数種類の画調のいずれかに変換する画調変換ステップと、
前記画調変換ステップにより画調変換された変換画調画像を前記指定された縮小画像に代えて、前記表示手段に表示させる第２の表示制御ステップと、
送り操作に応じて、前記表示手段に表示されている絵画調画像を残して、縮小画像を他の縮小画像に表示変更する第３の表示制御ステップと
を含むことを特徴とする画像表示方法。
【請求項１９】
表示手段に複数の縮小画像を表示させ、
前記複数表示されている縮小画像を指定すると所定の画調に変換して変換画調縮小画像に置き換えて表示し、
送り指示により変換画調縮小画像は残したまま他の縮小画像を新たな縮小画像に置き換えて表示し、
一括変換指示により表示されているすべての変換画調縮小画像に対応する本画像を当該画調に変換することを特徴とする画像表示方法。
【請求項２０】
本画像を表す画像データを複数記憶する記憶手段と、表示手段とを備える画像表示装置が有するコンピュータが読み取り実行可能なプログラムであって、
前記コンピュータを、
前記表示手段に、前記本画像に対して縮小された画像である縮小画像を複数表示する第１の表示制御手段と、
前記表示手段に表示された前記複数の縮小画像のいずれかを当該表示手段の画面上で指定する操作に応じて、当該指定された縮小画像を複数種類の画調のいずれかに変換する画調変換手段と、
前記画調変換手段により画調変換された変換画調画像を前記指定された縮小画像に代えて、前記表示手段に表示させる第２の表示制御手段と、
送り操作に応じて、前記表示手段に表示されている絵画調画像を残して、縮小画像を他の縮小画像に表示変更する第３の表示制御手段と
して機能させることを特徴とするプログラム。
【請求項２１】
本画像を表す画像データを複数記憶する記憶手段と、表示手段とを備える画像表示装置が有するコンピュータが読み取り実行可能なプログラムであって、
前記コンピュータを、
前記表示手段に、前記本画像に対して縮小された画像である縮小画像を複数表示する第１の表示制御手段と、
前記表示手段に表示された前記複数の縮小画像のいずれかを当該表示手段の画面上で指定する操作に応じて、当該指定された縮小画像を複数種類の画調のいずれかに変換する画調変換手段と、
前記画調変換手段により画調変換された変換画調画像を前記指定された縮小画像に代えて、前記表示手段に表示させる第２の表示制御手段と、
送り操作に応じて、前記表示手段に表示されている絵画調画像を残して、縮小画像を他の縮小画像に表示変更する第３の表示制御手段として機能させ、
前記画調変換手段は、更に前記表示手段に表示された変換画調画像を当該表示手段の画面上で指定する操作に応じて、当該指定された変換画調画像に対応する縮小画像を異なる画調に変換し、
前記第２の表示制御手段は、更に前記画調変換手段により変換された異なる画調の変換画調画像を前記指定された変換画調画像に代えて、前記表示手段に表示させるように機能させることを特徴とするプログラム。
【発明の詳細な説明】
【技術分野】
【０００１】
本発明は、画像表示装置、画像表示方法及びプログラムに関し、特に画像を異なった画調の画像に変換する際の画像表示装置、画像表示方法及びプログラムに関する。
【背景技術】
【０００２】
近年、デジタルカメラの普及により、写真は、デジタル画像データとして保存することが一般的となっている。撮影したデジタルカメラで閲覧したり、画像データを取り込んだパーソナルコンピュータ等で閲覧したりすることができるため、写真の楽しみ方にも変化が生じている。例えば、画像処理を加えることで、元の写真をベースとしつつも趣の異なる画調の画像（例えば、絵画調等）に絵画変換して表示することができるようにした技術（絵画変換技術）も提案されている（例えば、下記特許文献１参照）。
【０００３】
絵画変換とは、写真等の画像を構成する各画素を所定のパラメータ（絵画変換パラメータ）に従って変換し、油絵調、水彩画調、パステル調、色鉛筆画調、クレヨン画調、イラスト画調、点描画調、エアブラシ、シルクスクリーン調、刺繍絵調、コラージュ（糊付け）調等、いわゆる絵画調に変換するものである。
【０００４】
なお、このように多数の画調に変換できる場合、一覧性が要求されるが、複数の種類の異なった縮小画像を一覧表示する技術も提案されている（例えば、下記特許文献２参照）。
【０００５】
絵画変換は原理的には画像を明るくしたり、シャープにしたり、ソフトにしたりするエフェクト処理と同じであり、エフェクト処理を手動で試行錯誤して工夫すれば絵画調に見える画像ができる場合もあるが、絵画変換アルゴリズムはそれを高度化してその変換アルゴリズムをプログラミングしてあるものである。例えば実際に画家により描かれた油絵やパステル画等の原画から、色彩情報と筆触情報等の特徴を抽出し、パラメータ化して抽出した特徴を変換アルゴリズムに組み込んである。
【０００６】
その変換アルゴリズムの中に、原画像の画素を変換するための前記パラメータ（絵画変換パラメータ）のセットであるパラメータ群Ｐが予め用意されている。画調の種類が１２種類あるとすると、パラメータ群はＰ（１）〜Ｐ（１２）と表す。当然パラメータの決め方により変換された画像の画調も変わってくる。
【０００７】
パラメータとは画素にエフェクト処理をかけるための要素である。すなわち、画素は一般的にＲＧＢ各複数ビットの階調で表現されるが、そのビットデータに演算をかけるための要素である。具体例は下記に示すが、例えば赤成分を強調して緑成分と青成分をやや抑えるときにＲ×２、Ｇ×０．９、Ｂ×０．５、のような演算をする場合の前記“２”、“０．９”、“０．５”はパラメータの一種である。あるいは、予め演算要素がプログラミングされており、赤の強調度１のときはＲ×１．１、強調度２のときはＲ×１．２、強調度３のときはＲ×１．３のような演算をする場合の強調度もパラメータの一種である。
【０００８】
また、注目画素と隣接画素の間で所定の演算をかける場合もある。例えば注目画素Ａ５（ＲＧＢ）を中心に画素Ａ１（ＲＧＢ）、Ａ２（ＲＧＢ）、Ａ３（ＲＧＢ）、Ａ４（ＲＧＢ）、Ａ５（ＲＧＢ）、Ａ６（ＲＧＢ）、Ａ７（ＲＧＢ）、Ａ８（ＲＧＢ）、Ａ９（ＲＧＢ）が上下左右に並んでいるとき、Ａ５（Ｒ）に対してＡ５（Ｒ）＝Ａ１（Ｒ）×ｑ１＋Ａ２（Ｒ）×ｑ２＋Ａ３（Ｒ）×ｑ３＋Ａ４（Ｒ）×ｑ４＋Ａ５（Ｒ）×ｑ５＋Ａ６（Ｒ）×ｑ６＋Ａ７（Ｒ）×ｑ７＋Ａ８（Ｒ）×ｑ８＋Ａ９（Ｒ）×ｑ９という演算を行い、Ｇ、Ｂについても同様の演算を行う。ｑがパラメータであり、この数値（係数）を変えることにより異なったエフェクト処理ができる。
【先行技術文献】
【特許文献】
【０００９】
【特許文献１】特開平８−４４８６７号公報
【特許文献２】特開２００９−２８４３２６号公報
【発明の概要】
【発明が解決しようとする課題】
【００１０】
しかしながら、絵画調画像には油絵調、水彩画調、パステル画調・・・など多数の画調変換が含まれるが、このような変換処理を実施するためには、例えば１２００万画素のＲＧＢデータに対して演算処理を行うため、ＣＰＵによる大量の演算を必要とするため、変換処理時間が長いという課題がある。
【００１１】
また、変換処理に時間がかかると、その場で色々な変換を試して最適な変換画調画像を選択するのは困難であった。
【００１２】
本発明は、上記のような事情に鑑みなされたもので、素早く所望の変換を行った画像を見ることのできる画像表示装置、画像表示方法及びプログラムを提供することを目的とする。
【課題を解決するための手段】
【００１３】
前記課題を解決するため、請求項１記載の発明では、本画像を表す画像データを複数記憶する記憶手段と、前記本画像に対して縮小された画像である縮小画像を複数表示する表示手段と、前記表示手段に表示されている縮小画像のいずれかを指定する画像指定手段と、前記画像指定手段により指定された縮小画像に対して変換指示を行う変換指示手段と、前記変換指示手段により指示された縮小画像に対して所定の画調変換処理を行い、変換画調画像を作成する画調変換手段と、を具備するとともに、前記画調変換手段は画像データを複数種類の画調に変換する手段を含み、前記画像指定手段により縮小画像を指定するごとに前記画調変換手段は指定された画像データを異なる画調に変換し、前記表示手段は前記画調変換手段によって作成された変換画調画像を表示することを特徴とする画像表示装置を提供するものである。
【００１４】
また、請求項２記載の発明では、前記画像指定手段は本画像指定手段を有し、指定した縮小画像に対応する本画像に対し前記画調変換手段により画調変換処理を行うことを特徴とする請求項１記載の画像表示装置を提供するものである。
【００１５】
また、請求項３記載の発明では、前記画像指定手段は前記表示手段に表示されている複数の縮小画像を一括して指定する一括指定手段を有し、該一括指定手段による一括指定により前記画調変換手段は前記表示手段に表示されている複数の縮小画像に対し一括して画調変換処理を行うことを特徴とする請求項１記載の画像表示装置を提供するものである。
【００１６】
また、請求項４記載の発明では、前記画像指定手段は本画像指定手段を有し、指定した縮小画像に対応する本画像に対し前記画調変換手段により画調変換処理を行うことを特徴とする請求項３記載の画像表示装置を提供するものである。
【００１７】
また、請求項５記載の発明では、本画像を表す画像データを記憶する記憶手段と、前記記憶手段に記憶されている画像データが表す本画像の縮小画像を複数表示する表示手段と、前記表示手段に表示されている縮小画像のいずれかを指定する画像指定手段と、前記画像指定手段により指定された縮小画像に対して変換指示を行う変換指示手段と、前記変換指示手段により指示された縮小画像に対して所定の画調変換処理を行い、縮小変換画調画像を作成する画調変換手段と、を具備し、前記記憶手段は、前記本画像、前記縮小画像、及び前記縮小変換画調画像を組にして１つのファイルとして記憶することを特徴とする画像表示装置を提供するものである。
【００１８】
また、請求項６記載の発明では、前記記憶手段は、前記本画像に対して所定の画調変換処理を行った変換本画像も組にして、１つのファイルとして記憶することを特徴とする請求項５記載の画像表示装置を提供するものである。
【００１９】
また、請求項７記載の発明では、複数の本画像を表す画像データに対応する複数の縮小画像を並べて表示する画像表示方法において、複数種類の画調に変換する画調変換手段を有し、前記表示されている縮小画像のいずれかを複数回指定すると、指定するたびにその縮小画像が前記画調変換手段により変換された異なった画調の縮小画像にかわることを特徴とする画像表示方法を提供するものである。
【００２０】
また、請求項８記載の発明では、複数の本画像を表す画像データに対応する複数の縮小画像を並べて表示する請求項７記載の画像表示方法において、前記表示されている複数の縮小画像を前記画調変換手段により一括して前記画調変換手段により変換された画調の縮小画像にかえることを特徴とする画像表示方法を提供するものである。
【００２１】
また、請求項９記載の発明では、複数の本画像を表す画像データに対応する複数の縮小画像を並べて表示する請求項７記載の画像表示方法において、前記表示されている縮小画像を指定すると、前記画調変換手段によりその縮小画像に対応する本画像を表す画像データを画調変換することを特徴とする画像表示方法を提供するものである。
【００２２】
また、請求項１０記載の発明では、本画像を表す画像データを記憶するステップと、記憶されている画像データにより表される本画像の縮小画像を複数表示するステップと、表示されている縮小画像のいずれかが指定されると該指定された縮小画像に対して変換指示を行うステップと、指示された縮小画像に対して所定の種類の画調への画調変換処理を行い、変換画調画像を作成するステップと、表示されている縮小画像が複数回指定されると該指定された縮小画像に対して指定される毎に異なった種類の画調への画調変換処理を行い、変換画調画像を作成するステップと、作成された変換画調画像を表示するステップと、を有することを特徴とするコンピュータにより実行可能なプログラムを提供するものである。
【００２３】
また、請求項１１記載の発明では、本画像を表す画像データを記憶するステップと、記憶されている画像データによりの縮小画像を複数表示するステップと、表示されている縮小画像のいずれかが指定されると該指定された縮小画像に対して変換指示を行うステップと、指示された縮小画像に対応する本画像の画像データに対して所定の種類の画調への画調変換処理を行い、変換画調画像を作成するステップと、作成された変換画調画像を表示するステップと、を有することを特徴とするコンピュータにより実行可能なプログラムを提供するものである。
【００２４】
また、請求項１２記載の発明では、本画像を表す画像データを複数記憶する記憶手段と、表示手段と、前記表示手段に、前記本画像に対して縮小された画像である縮小画像を複数表示する第１の表示制御手段と、前記表示手段に表示された前記複数の縮小画像のいずれかを当該表示手段の画面上で指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、送り操作に応じて、前記表示手段に表示されている変換画調画像を残して、縮小画像を前記記憶手段に記憶されている本画像に対して縮小された他の縮小画像に表示変更する第３の表示制御手段とを具備したことを特徴とする画像表示装置を提供するものである。
【００２５】
また、請求項１４記載の発明では、本画像を表す画像データを複数記憶する記憶手段と、表示手段と、前記表示手段に、前記本画像に対して縮小された画像である縮小画像を複数表示する第１の表示制御手段と、前記表示手段に表示された前記複数の縮小画像のいずれかを当該表示手段の画面上で指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、送り操作に応じて、前記表示手段に表示されている変換画調画像を残して、縮小画像を前記記憶手段に記憶されている本画像に対して縮小された他の縮小画像に表示変更する第３の表示制御手段とを具備し、前記画調変換手段は、更に前記表示手段に表示された変換画調画像を当該表示手段の画面上で指定する操作に応じて、当該指定された変換画調画像に対応する縮小画像を前記複数種類の画調のうち異なる種類の画調に変換し、前記第２の表示制御手段は、更に前記画調変換手段により変換された異なる種類の画調の変換画調画像を前記指定された変換画調画像に代えて、前記表示手段に表示させることを特徴とする画像表示装置を提供するものである。
【００２６】
また、請求項１４記載の発明では、本画像を表す画像データを複数記憶する記憶手段と、表示手段と、前記表示手段に、前記本画像に対して縮小された画像である縮小画像を複数表示する第１の表示制御手段と、前記表示手段に表示された前記複数の縮小画像のいずれかを当該表示手段の画面上で指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、送り操作に応じて、前記表示手段に表示されている絵画調画像を残して、縮小画像を他の縮小画像に表示変更する第３の表示制御手段とを具備し、一括指定操作に応じて、前記表示手段に表示されている変換画調縮小画像に対応する本画像を、当該画調に変換する手段と、を具備したことを特徴とする画像表示装置を提供するものである。
【００２７】
また、請求項１５記載の発明では、前記画調変換手段は、更に前記表示手段に表示された変換画調画像を選択する操作に応じて、当該選択された変換画調画像に対応する縮小画像の本画像を当該選択された変換画調画像の画調に変換することを特徴とする請求項１１ないし１３にいずれか記載の画像表示装置を提供するものである。
【００２８】
また、請求項１６記載の発明では、前記画調変換手段は、更に所定の操作に応じて、前記表示手段に表示されている全ての変換画調画像に対応する縮小画像の本画像を当該選択された変換画調画像の画調に変換することを特徴とする請求項１１ないし１３にいずれか記載の画像表示装置を提供するものである。
【００２９】
また、請求項１７記載の発明では、前記画調変換手段は、前記本画像の画調変換画像を前記記憶手段に記録する手段を備えることを特徴とする請求項１４又は１５記載の画像表示装置を提供するものである。
【００３０】
また、請求項１８記載の発明では、本画像を表す画像データを複数記憶する記憶手段と、表示手段とを具備する画像表示装置における画像表示方法であって、前記表示手段に、前記本画像に対して縮小された画像である縮小画像を複数表示する第１の表示制御ステップと、前記表示手段に表示された前記複数の縮小画像のいずれかを当該表示手段の画面上で指定する操作に応じて、当該指定された縮小画像を複数種類の画調のいずれかに変換する画調変換ステップと、前記画調変換ステップにより画調変換された変換画調画像を前記指定された縮小画像に代えて、前記表示手段に表示させる第２の表示制御ステップと、送り操作に応じて、前記表示手段に表示されている絵画調画像を残して、縮小画像を他の縮小画像に表示変更する第３の表示制御ステップとを含むことを特徴とする画像表示方法を提供するものである。
【００３１】
また、請求項１９記載の発明では、表示手段に複数の縮小画像を表示させ、前記複数表示されている縮小画像を指定すると所定の画調に変換して変換画調縮小画像に置き換えて表示し、ページ送り指示により変換画調縮小画像は残したまま他の縮小画像を新たな縮小画像に置き換えて表示し、一括変換指示により表示されているすべての変換画調縮小画像に対応する本画像を当該画調に変換することを特徴とする画像表示方法を提供するものである。
【００３２】
また、請求項２０記載の発明では、本画像を表す画像データを複数記憶する記憶手段と、表示手段とを備える画像表示装置が有するコンピュータが読み取り実行可能なプログラムであって、前記コンピュータを、前記表示手段に、前記本画像に対して縮小された画像である縮小画像を複数表示する第１の表示制御手段と、前記表示手段に表示された前記複数の縮小画像のいずれかを当該表示手段の画面上で指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、送り操作に応じて、前記表示手段に表示されている絵画調画像を残して、縮小画像を他の縮小画像に表示変更する第３の表示制御手段として機能させることを特徴とするプログラムを提供するものである。
【００３３】
また、請求項２１記載の発明では、本画像を表す画像データを複数記憶する記憶手段と、表示手段とを備える画像表示装置が有するコンピュータが読み取り実行可能なプログラムであって、前記コンピュータを、前記表示手段に、前記本画像に対して縮小された画像である縮小画像を複数表示する第１の表示制御手段と、前記表示手段に表示された前記複数の縮小画像のいずれかを当該表示手段の画面上で指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、送り操作に応じて、前記表示手段に表示されている絵画調画像を残して、縮小画像を他の縮小画像に表示変更する第３の表示制御手段として機能させ、前記画調変換手段は、更に前記表示手段に表示された変換画調画像を当該表示手段の画面上で指定する操作に応じて、当該指定された変換画調画像に対応する縮小画像を異なる画調に変換し、前記第２の表示制御手段は、更に前記画調変換手段により変換された異なる画調の変換画調画像を前記指定された変換画調画像に代えて、前記表示手段に表示させるように機能させることを特徴とするプログラムを提供するものである。
【発明の効果】
【００３４】
本発明によれば、素早く所望の画調変換を行った画像を見ることができる効果がある。また、いずれの画像をいずれの画調画像に変換するかを簡単に選択することができる効果がある。
【図面の簡単な説明】
【００３５】
【図１】（ａ）は本発明の第１の実施形態に係る画像表示装置の外観を示す正面図、（ｂ）は側面図である。
【図２（ａ）】本実施形態に係る画像表示装置の構成を示すブロック図である。
【図２（ｂ）】本実施形態に係る画像表示装置が適用されるネットワーク系の構成を示すブロック図である。
【図３】本実施形態に係るメモリカードの記憶状態を示す遷移図である。
【図４】本実施形態に係る図３に続くメモリカードの記憶状態を示す遷移図である。
【図５】本実施形態に係る画像表示装置の処理手順を示すフローチャートである。
【図６】本実施形態に係る液晶表示パネルの表示遷移図である。
【図７】図６に続く液晶表示パネルの表示遷移図である。
【図８】図７に続く液晶表示パネルの表示遷移図である。
【図９】図８に続く液晶表示パネルの表示遷移図である。
【図１０】図９に続く液晶表示パネルの表示遷移図である。
【図１１】本実施形態に係る液晶表示パネルの表示遷移図である。
【図１２】図１１に続く液晶表示パネルの表示遷移図である。
【図１３】本実施形態に係るインターラプト処理の処理手順を示すフローチャートである。
【図１４】本発明の第２の実施の形態に係るシステムを示すシステム構成図である。
【図１５】管理サーバーの構成を示すブロック図である。
【図１６】第２の実施の形態における画像表示装置の処理手順を示すフローチャートである。
【図１７】同実施の形態における管理サーバーの処理手順を示すフローチャートである。
【図１８】同実施の形態における画像表示装置のインターラプト処理の処理手順を示すフローチャートである。
【図１９】本発明の第４の実施の形態における画像表示装置の処理手順を示すフローチャートである。
【図２０】実施の形態における遷移図である。
【図２１】図２０に続く遷移図である。
【図２２】図２１に続く遷移図である。
【図２３】図２２に続く遷移図である。
【発明を実施するための形態】
【００３６】
（第１の実施形態）
以下、本発明の実施形態について説明する。
【００３７】
図１（ａ）は、本発明を適用した実施形態による画像表示装置１を示す外観図である。
【００３８】
画像表示装置１の正面には、本体２に保持された液晶表示パネル３によって構成される表示部が設けられている。この液晶表示パネル３には、タッチパネル５が一体的に構成されており、指でタッチすることにより操作可能となっている。本体２の前面上部右側には、撮像素子８が設けられ、側面には、メモリカードスロット６が設けられている。更に、本体上部にＧＰＳ（Global Positioning System）アンテナ７、前面上部左側にセンサ４０が設けられている。
【００３９】
図２（ａ）は、本実施形態による画像表示装置１の電気的構成を示したブロック図である。画像表示装置１は、ＣＰＵ（Central Processing Unit）１１と、ＣＰＵ１１に接続されたＲＯＭ（Read Only Memory）１２と、ＲＡＭ（Random Access memory）１３と、内部メモリ１４とを備え、ＲＯＭ１２には、ＣＰＵ１１に後述するフローチャートに示す動作を行わせるためのプログラムが記憶されている。また、ＣＰＵ１１は、撮像素子８で撮像した顔を認識処理するための顔認識エンジン１００と、写真画像を絵画調の画像に変換する絵画変換エンジン２００、並びに環境情報を収集分析する環境情報エンジン４００とを含んでいる。
【００４０】
顔認識エンジン１００は、写真の中に１つまたは複数の顔が写っている場合、それぞれの顔を認識する能力を備えている。
【００４１】
絵画変換エンジン２００は絵画変換処理を行う。絵画変換とは、前述したように画像を構成する各画素を所定のパラメータ（絵画変換パラメータ）に従って変換し、油絵調、水彩画調、パステル調・・・などの絵画調の画像に変換する技術である。絵画変換エンジン２００による絵画変換処理は、メモリカード６０に記憶されている表示対象の画像あるいは配信コンテンツサイト５３０の画像を、絵画調画像に変換し、変換後の絵画調画像を液晶表示パネル３に表示する処理したり、内部メモリ１４やメモリカード６０に保存する処理である。
【００４２】
また、絵画調画像への変換に際して目標とする絵画の種類、つまり変換画調画像にする特徴（画調）が選択可能である。本実施形態において、選択可能な画調は、例えば油絵調、水彩画調、パステル画調、油彩画調、色鉛筆画調、クレヨン画調、イラスト画調、点描画調、エアブラシ画調、シルクスクリーン調、刺繍絵調、コラージュ（糊付け）調の１２種類とする。
しかし、これに限ることなく、ゴッホ調、モネ調、ピカソ調等、画家の特徴を加味した変換の選択を可能としても良い。また、別の画調のアルゴリズムをメモリカード６０で提供することもできる。描画タッチとしては筆の太さも選択可能である。
【００４３】
環境情報エンジン４００は、センサ４０で得られる人の近接情報（人感情報）や、温度、湿度、気圧、風速等を得るとともに、後述するＧＰＳ制御部２０からの緯度、経度、高度等の位置情報、年月日、時刻、季節等の時間情報、撮像素子８から得られる画像情報、インターネット５００を介して他のサイトから得られる天気予報情報等を収集して環境情報を得るためものである。
【００４４】
これら顔認識エンジン１００、絵画変換エンジン２００、環境情報エンジン４００はＣＰＵ１１と協働するＡＳＩＣ（Application Specific Integrated Circuit：特定用途向け集積回路）、若しくはＤＳＰ（Digital Signal Processor）、あるいはリコンフィギュラブルＬＳＩ（Ｃ言語等のプログラムによって再構成可能なＬＳＩ）によって構成される。
【００４５】
ＲＡＭ１３は、ＣＰＵ１１が必要に応じて種々のデータを一時的に記憶する作業用のメモリである。
【００４６】
内部メモリ１４は、ハードディスク、またはフラッシュメモリによる大容量不揮発性メモリであり、詳細は後述するが、フォルダが形成されて多数の画像を保存可能となっている。また、電話帳、反応ログメモリ３００も含む。
【００４７】
表示制御部１６は、ＣＰＵ１１から供給される表示用の画像データに基づいて液晶表示パネル３を駆動することにより、画像や、各種メニューを液晶表示パネル３に表示させる。キー入力部制御部１７は、ＣＰＵ１１の制御に基づいてタッチパネル５の操作信号を入力するものである。
【００４８】
タッチパネル５は、静電容量方式、光学方式、抵抗膜方式、表面弾性波方式、超音波方式、電磁誘導方式等様々存在する中から、適宜選択することができる。指紋認証や、静脈認証の機能を組み込むことも可能である。
【００４９】
メモリカードインターフェース１８は、メモリカードスロット６に着脱自在に装着された各種のメモリカード６０と、ＣＰＵ１１との間におけるデータの入出力を制御する入出力インターフェースである。
【００５０】
撮像制御部１９は、撮像素子８を駆動して被写体の画像を取り込む制御を行う。ベイヤーデータで取り込まれた画像データは、ＹＵＶ、及びＲＧＢデータに変換後、ＪＰＥＧ（Joint Photographic Experts Group）データに圧縮されて内部メモリ１４またはメモリカード６０に記録される。
【００５１】
ＧＰＳ制御部２０は、ＧＰＳアンテナ７で受信した情報を元に位置情報を取得する。これにより、画像表示装置１の現在位置を知ることができる。
【００５２】
電源制御部７０は、電源プラグ８１を介してＡＣ電源を取り入れ、直流に変換して各部に主電源７１若しくは待機電源７２の電力を供給する。
【００５３】
センサ４０は、環境情報を得るためのセンサで、人感センサ、ラインセンサ、温度センサ、湿度センサ、気圧センサ、風速センサ、照度センサ等を含み、ＣＰＵ１１、顔認識エンジン１００、環境情報エンジン４００、及び撮像素子８と協働することにより各種環境情報を得ることができる。
【００５４】
例えば近くに人がいるかどうかを検知し、近くに人がいない状態が所定時間以上続くと電源制御部７０をＣＰＵ１１により制御し、自動的に主電源７１を切って待機電源７２だけ供給しておき、節電を図り（オートパワーオフ）、再度、センサ４０が人の接近を検知すると、主電源７１をオンする。
【００５５】
また、閲覧者の角度や、距離を測定することができる。更に、閲覧者の顔を認識し、誰が閲覧しているかによって電源の制御が可能であるとともに、誰がどの角度で、近くから見ているか遠くから見ているかも検出することができる。
【００５６】
通信制御部３０は、電話回線３１若しくは無線ＬＡＮ３２を経由してインターネット５００に接続し、メールの送受信や、コンテンツの送受信を含む通信制御を行う。アドレス帳３３は、メール送受信に用いられ、実際は、内部メモリ１４内に設けられる。
【００５７】
反応ログメモリ３００は、内部メモリ１４内に設けられ、上述した撮像素子８で撮像し、顔認識エンジン１００で認識した結果や、センサ４０の反応結果、タッチパネル５のタッチ結果等により、閲覧者の反応ログ（履歴）を記憶する。４１０はパラメータメモリで、絵画変換のための各種パラメータ群Ｐを記憶している。
【００５８】
図２（ｂ）は、本実施形態によるネットワーク系の構成を示す概念図である。５１０はパーソナルコンピュータであり、無線ＬＡＮ３２等で通信制御部３０を介して画像表示装置１と接続でき、画像表示装置１では設定できない複雑な設定等をすることができる。
【００５９】
５２０は、インターネット５００を介して接続されるネットワークサービスサイトであり、少なくとも認証サーバー５２１、メールサーバー５２２、課金サーバー５２３、コンテンツサーバー５２４、絵画変換サーバー５２５、環境情報サーバー５２６を含む。４０は図２（ａ）におけるセンサ４０と同様のセンサである。このネットワークサービスサイト５２０は表示装置１のネットワークプロバイダの役割もしている。
【００６０】
認証サーバー５２１は、アクセス者を認証するためのものであり、メールサーバー５２２はメールの送受信を管理するためのものであり、課金サーバー５２３はコンテンツサーバー５２４に保存されている画像、音楽、プログラムその他のコンテンツを有料で提供する際の課金を管理するためのものである。
【００６１】
絵画変換サーバー５２５は前記絵画変換エンジン２００をサーバー側にも持たせたものであり、環境情報サーバー５２６は環境情報エンジン４００をサーバー側にも持たせたものである。
【００６２】
更に、配信コンテンツサイト５３０にも環境情報エンジン４００を持たせる。これにより、遠方の配信コンテンツ供給元の環境情報を画像表示装置１で知ることができる。環境情報エンジン４００はセンサ４０とセットで設けられるものである。
【００６３】
５３０は、表示装置１に表示させるための各種コンテンツを配信するための配信コンテンツサイトで、多数のコンテンツや、画像等を有しており、インターネット５００を介して画像表示装置１若しくはネットワークサービスサイト５２０へデータを配信することができる。
【００６４】
配信コンテンツサイト５３０の例としては、ライブカメラ映像を設置しライブ映像を配信するライブ映像コンテンツ配信サイトがある。山や空、ビル群等を常時撮影していて、動画若しくは静止画でネットワークサービスサイト５２０へ配信する。
【００６５】
５５０は、ネットワークを介して受信した画像データを画調変換するためのプリントサイトである。認証サーバー５２１、課金サーバー５２３、絵画変換サーバー５２５はネットワークサービスサイト５２０と同様である。ストレージサーバー５５１に受信した画像データを一時保存し、絵画変換サーバー５２５の絵画変換エンジンにて変換した変換画像も一時記憶する。５２５１は画像データを油絵調等、各種画調に変換するためのパラメータ（絵画変換パラメータ）群を記憶しているパラメータテーブルである。
【００６６】
そして、プリントサイト５５０内のプリンタ５５３、若しくはプリント専門業者への発注により変換画像を紙、キャンバス地その他の素材にプリントする。
【００６７】
画像表示サーバー５５２は、このプリントサイト５５０内で画像変換処理を行う場合のユーザに対するインターフェース処理を行うためのものである。すなわち、ユーザが自分の写真をアップする方法、絵画調の種類を選択する方法、プリントサイズの選択方法、プリント素材の選択方法等をガイドするための表示を制御する。
【００６８】
なお、このようなサーバー構成は一例であって、処理ごとに別々のサーバーを必要とするとは限らない。
【００６９】
また、画像表示装置１には、動作モードとして通常モードとエフェクトモードとが用意されており、ユーザが操作スイッチ１０５を所定の手順で操作することによって、動作モードの切替が可能となっている。
【００７０】
通常モードは、一般的な画像表示装置と同様に、メモリカード６０に画像データとして記憶されている画像を液晶表示パネル３にそのまま表示する動作モードである。なお、画像表示装置１において表示可能な画像は、例えばデジタルカメラによって撮像された画像であり、ＪＰＥＧ（Joint Photographic Expert Group）方式により圧縮され、撮影日時等の付加情報と共に静止画ファイルとして記憶されている画像である。もちろんＲＡＷ、ＢＭＰ、ＰＮＧなど各種の画像フォーマットをサポートすることができる。画像ソースはデジタルカメラで撮影したものでなくてもよい。
【００７１】
エフェクトモードは、メモリカード６０に記憶されている表示対象の画像を、絵画が有する特徴を備えた絵画調画像、つまり特定の効果を与えた絵画調画像に変換し、変換後の絵画調画像を液晶表示パネル３に表示する動作モードである。
【００７２】
また、エフェクトモードでは、絵画調画像への変換に際して目標とする絵画の種類、つまり変換画調画像にすることができる特徴（画調）が選択可能である。本実施形態において、選択可能な画調は前述したように油絵調、水彩画調、パステル画調、鉛筆画調、クレヨン画調、イラスト画調、点描画調、エアブラシ画調・・・等があるが、これに限ることなく、ゴッホ調、モネ調、ピカソ調など、画家の特徴を加味した変換の選択を可能としても良い。また、別の画調のアルゴリズムを後述するメモリカード６０で提供するようにすることもできる。
【００７３】
なお、本実施形態においては、１２種類の画調に変換するプログラムが記憶されているが、選択される場合の優先順序は、（１）油絵調、（２）水彩画調、（３）パステル画調、（４）油彩画調、（５）色鉛筆画調、（６）クレヨン画調、（７）イラスト画調、（８）点描画調、（９）エアブラシ画調、（１０）シルクスクリーン調、（１１）刺繍絵調、（１２）コラージュ（糊付け）調とする。
【００７４】
図３は、メモリカード６０の記録内容を示すメモリ構成図である。このメモリカード６０は、デジタルカメラに着脱自在に装着されていたものであって、デジタルカメラでの撮影に伴って画像がＪＰＥＧのファイル方式でファイル化されて、複数のファイルＦ１、Ｆ２、Ｆ３・・・が記録されている。各ファイルＦ１、Ｆ２、Ｆ３・・・は、ＥＸＩＦ（Exchangeable Image File Format）などのデータを有するヘッダと、撮影された画像であり本画像である画像データ（本画像１、２、３・・・）と、その画像データの縮小画像であるサムネイルの画像データ（サムネイル１、２、３・・・）、及びプレビューの画像データ（プレビュー１、２、３・・・）で構成されている。なお、表示画面の大きさにより画面に表示すべき縮小画像の大きさが異なるため、このように、サムネイルとは別に表示用のプレビュー画像（プレビュー１、２、３・・・）を作成して記憶しておく場合もある。本実施形態では、プレビュー画像も含めてサムネイルと表現している。また、プレビュー画像は、液晶表示パネル３の画素数と同じ画素数からなる。
【００７５】
つまり、これら画像ファイルＦ１、Ｆ２、Ｆ３・・・は、一般的なデジタルカメラのファイルフォーマットである。したがって、デジタルカメラで撮像したＳＤカード（メモリカード６０）をメモリカードスロット６に差し込むだけで使用できるようになっている。
【００７６】
以下、エフェクトモードにおける画像表示装置１の具体的な動作について説明する。
図５は、第１の実施形態においてエフェクトモードが設定されているときのＣＰＵ１１の処理手順におけるメインルーチンを示したフローチャートである。エフェクトモードが設定されているとき、ＣＰＵ１１は、ＲＯＭ１２に記憶されているプログラムに従いこのフローチャートに示すように処理を実行する。
【００７７】
まず、ＣＰＵ１１は、メモリカード６０から表示対象の画像ファイルＦ１〜Ｆ１６のサムネイル画像データを読み出す。そして、これらサムネイル画像データに基づき、液晶表示パネル３にサムネイルを表示させる（ステップＳ１０１）。したがって、このステップＳ１０１での処理により、図６に示すように、液晶表示パネル３には、サムネイル１〜１６が一覧表示される。なお、このときＣＰＵ１１は、液晶表示パネル３の下端隅部に一括変換ボタン３０１とページ送りボタン３０２をも表示させる。
【００７８】
図６は、液晶表示パネル３の表示例を示している。図６ではサムネイルを１画面に１６個表示しており、また、図３及び図４において前述したように、液晶表示パネル３の画素数と同じ画素数のプレビュー画像を用意してある。
【００７９】
本画像１、２、３・・・の画素数は撮影したデジタルカメラ等に依存するが、ＸＧＡ（１０２４×７６８）、ＳＸＧＡ（１２８０×１０２４）、ＵＸＧＡ（１６００×１２００）、ＱＸＧＡ（２０４８×１５３６）・・・等があり、１２００万画素以上のデジタルカメラでは４０００×３０００画素以上になる。液晶表示パネル３は、例えば８００×６００画素の画像を表示できるとすると、プレビュー画像は８００×６００画素である。サムネイル１、２、３・・・は１個あたり１６０×１２０画素であり、予めフォルダＦ１、Ｆ２、Ｆ３・・・に用意しておいてもよいし、表示時に縮小してもよい。全画面表示時は、液晶表示パネル３の画像表示領域が８００×６００画素なので、前記プレビュー画像をそのまま表示すればよい。
【００８０】
ページ送りボタン３０２を操作することにより、メモリカード６０から１６枚ずつ異なるサムネイルを読み出して液晶表示パネル３に表示されるサムネイルを変更することが可能である。ページ送りはボタンを設けないで指で画面をスライドしてページ送りをするようにしても構わない。また、ページ単位で送らなくても、行単位又は列単位、あるいは単位無く少しずつスクロールすることができる。
【００８１】
そして、液晶表示パネル３の下端隅部に表示された一括変換ボタン３０１とページ送りボタン３０２のうち、一括変換ボタン３０１がユーザによりタッチされたか否かを、タッチパネル５からの出力に基づき判断する（ステップＳ１０２）。
【００８２】
一括変換ボタン３０１がタッチされない場合には、ステップＳ１０２からステップＳ１０７に進んで、いずれかのサムネイルがワンタッチされたか否かを判断し、ワンタッチされない場合には、ステップＳ１０２からの処理を繰り返す。
【００８３】
しかし、液晶表示パネル３にサムネイル１〜１６が表示されている状態において、ユーザがいずれかのサムネイルにワンタッチすると、タッチパネル５によりこれが検出されて、ＣＰＵ１１はステップＳ１０７をＹＥＳと判断する。すると、ＣＰＵ１１は、ステップＳ１０８に進んで、メモリカード６０に既に画調変換されたデータが記録されているか否かを判断する。
【００８４】
そして、ステップＳ１０８に続くステップＳ１０９では、ワンタッチされたサムネイルに対し、画調変換処理を実行する。すなわち、図７（ａ）に示すように、サムネイル１〜サムネイル１６が表示されている状態（図６と同様の状態）において、ユーザがサムネイル７とサムネイル８とをワンタッチしたとする。すると、優先順序は、油絵調が「（１）」であることから、サムネイル７とサムネイル８とを油絵画調で画調変換処理する。
【００８５】
このとき、後述するように、メモリカード６０に油絵調で画像変換されたサムネイル７とサムネイル８の画像データが既に記憶されている場合もある。したがって、ステップＳ１０８では、メモリカード６０にサムネイルを油絵調に画調変換された画像データがあるか否かを判断し、ない場合にのみ、ワンタッチされたサムネイルに対し、画調（油絵調）変換処理を実行する（ステップＳ１０９）。
【００８６】
この画調変換処理に際してＣＰＵ１１は、パラメータメモリ４１０に記録されている油絵調のパラメータ群を読み出し、ＲＯＭ１２に記憶されているプログラムに沿って、サムネイル７及びサムネイル８に対し画調変換処理を行って、変換画調画像データを生成し、この生成した変換画調画像データにより油絵画調の変換画調画像を作成する。そして、前記ステップＳ１０９の処理で生成された絵画調変換サムネイルの画像データをメモリカード６０の対応するファイルに書き込んで保存する（ステップＳ１１０）。
【００８７】
しかる後に、現在液晶表示パネル３に表示されている油絵調７及び油絵調８に代わって、油絵画調の変換画調画像を差し替え表示する（ステップＳ１１１）。したがって、このステップＳ１１１での処理により、液晶表示パネル３の表示画面は、図７（ａ）に示した状態から同図（ｂ）に示した状態に遷移し、液晶表示パネル３にはサムネイル７、８に代わって油絵調７、８が表示されることとなる。
【００８８】
引き続き、いずれかのサムネイルにダブルタッチ（２回連続したタッチ）がなされたか否かを判断する（ステップＳ１１２）。ダブルタッチされない場合には、ステップＳ１０７に戻る。したがって、図８（ａ）に示す表示状態（図７（ｂ）と同様の表示状態）において、ユーザが油絵調８をワンタッチしたとする。すると、優先順序は、（１）油絵調の次が（２）水彩画調であることから、油絵調８に対応するサムネイル８を水彩画調で画調変換処理することになる。
【００８９】
このとき、メモリカード６０にサムネイル８を水彩画調で画像変換された画像データが既に記憶されている場合もある。したがって、ステップＳ１０８では、メモリカード６０にサムネイル８を水彩画調に画調変換された画像データがあるか否かを判断し、ない場合にのみ、ワンタッチされた油絵調８に対応するサムネイル８に対し、他の画調（水彩画調）変換処理を実行する（ステップＳ１０９）。
【００９０】
そして、前記ステップＳ１０９の処理で生成された絵画調変換サムネイルの画像データをメモリカード６０の対応するファイルに書き込んで保存する（ステップＳ１１０）。
【００９１】
しかる後に、現在液晶表示パネル３に表示されている油絵調８に代わって、水彩画調の変換画調画像を差し替え表示する（ステップＳ１１１）。したがって、このステップＳ１１１での処理により、液晶表示パネル３の表示画面は、図８（ａ）に示した状態から同図（ｂ）に示した状態に遷移し、液晶表示パネル３には油絵調８に代わって水彩画調８が表示されることとなる。
【００９２】
したがって、所望のサムネイルに対するタッチを繰り返せば、当該サムネイルが「（１）油絵調」から（２）水彩画調、（３）パステル画調、（４）鉛筆画調、・・・と所定の優先順序に従って順次変化する。よって、ユーザは、素早く所望の画調変換を行った画像を見ることができるのみならず、いずれの画像をいずれの画調画像に変換するかを簡単に選択することができる。
【００９３】
引き続き、いずれかのサムネイルにダブルタッチ（２回連続したタッチ）がなされたか否かを判断する（ステップＳ１１２）。ダブルタッチされない場合には、ステップＳ１０７に戻る。したがって、図９（ａ）に示す表示状態（図８（ｂ）と同様の表示状態）において、ユーザが水彩画調８をワンタッチしたとする。すると、優先順序は、（２）水彩画調の次が（３）パステル画調であることから、データがない場合には水彩画調８に対応するサムネイル８をパステル画調で画調変換処理する（ステップＳ１０９）。
【００９４】
そして、データ保存を行った後（ステップＳ１１０）、現在液晶表示パネル３に表示されている水彩画調８に代わって、作成したパステル画調の変換画調画像を差し替え表示する（ステップＳ１１１）。したがって、このステップＳ１１１での処理により、液晶表示パネル３の表示画面は、図９（ａ）に示した状態から同図（ｂ）に示した状態に遷移し、液晶表示パネル３には水彩画調８に代わってパステル画調８が表示されることとなる。
【００９５】
このとき、ＣＰＵ１１は、本画像よりも遙かにデータ量の少ないサムネイルを画調変換することから、変換処理に時間がかかることはない。したがって、ユーザは素早く所望の画調変換を行った画像（油絵調７、水彩画調８あるいはパステル画調８）を見ることができる。
【００９６】
また、ワンタッチ操作により、いずれの画像をいずれの画調画像に変換するか簡単に選択することができる。したがって、その場で色々な変換を試して、いずれの画調がサムネイルに対応する本画像にとって最適な変換であるかを判定することができる。
【００９７】
このように、ユーザが所望する画調の画像が複数表示されている状態において、ユーザがいずれかの画調画像にダブルタッチすると、タッチパネル５によりこれが検出されて、ＣＰＵ１１はステップＳ１１２をＹＥＳと判断する。したがって、ＣＰＵ１１は、ステップＳ１１２からステップＳ１１３に処理を進めて、メモリカード６０に既にデータが記録されているか否かを判断する。
【００９８】
つまり、ステップＳ１１３に続くステップＳ１１４では、ダブルタッチされた画調画像のサムネイルに対応する本願像に対し、タッチされた画調で画調変換処理を実行する。このとき、メモリカード６０に本画像を画調変換した画像データが既に記憶されている場合もある。したがって、ステップＳ１１３では、メモリカード６０にダブルタッチされた画調画像のサムネイルに対応する本願像を画調変換した画像データがあるか否かを判断し、ない場合にのみ、ステップＳ１１４及びステップＳ１１５の処理を実行する。
【００９９】
まず、ダブルタッチされた画調画像のサムネイルに対応する本願像に対し、タッチされた画調で画調変換処理を実行する（ステップＳ１１４）。
【０１００】
例えば、図１０（ａ）に示すように、サムネイル１〜６及び９〜１６、油絵調７、パステル画調８が表示されている状態（図９（ｂ）と同様の表示状態）において、ユーザがパステル画調８をダブルタッチしたとする。すると、ＣＰＵ１１は、先ずパステル画調８に対応するサムネイル８が記録されているファイルＦ８をＲＡＭ１３にて検索し、検索したファイルＦ８から本画像８を読み出す。また、水彩画調８がダブルタッチされたことから、変換すべき画調は水彩画調であり、よって本画像８をパステル画調で画調変換処理する。
【０１０１】
引き続き、前記ステップＳ１１４の処理で生成された絵画調変換本画像の画像データをメモリカード６０の対応するファイルに書き込んで保存する（ステップＳ１１５）。したがって、このステップＳ１１４での処理により、図４に示すように、ファイルＦ８に本画像を絵画調変換した絵画調変換本画像８が付加されて保存される。これにより、後述するインターラプトルーチンで、再度同一の絵画調変換本画像を作成する無用な処理の実行を未然に防止することができる。
【０１０２】
なお、本画像は実際には４０００×３０００画素ほどの大きさがあるため、プレビュー表示は画調変換された本画像を８００×６００画素に縮小して表示するか、８００×６００画素のプレビュー画像も並行して画調変換してそれを表示することになる。表示画面上ではどちらを表示しても見た目は変わらないが、内部メモリ１４若しくはメモリカード６０に保存される画調変換画像は４０００×３０００画素の本画像を実際に画調変換処理する必要がある。
【０１０３】
そして、現在液晶表示パネル３に表示されているサムネイル１〜６及び９〜１６、油絵調７、パステル画調８に代わって、作成したパステル画調の本画像８の変換画調画像を全画面表示する（ステップＳ１１６）。したがって、このステップＳ１１６での処理により、液晶表示パネル３の表示画面は、図１０（ａ）に示した状態から同図（ｂ）に示した状態に遷移し、液晶表示パネル３には本画像８のパステル画調画像であるパステル画調８が表示されることとなる。
【０１０４】
したがって、ワンタッチ操作により、いずれの画像をいずれの画調画像に変換するか簡単に選択することができるのみならず、その場で色々な変換を試し、最終的に適切と判断した変換画調で本画像を画調変換することができる。
【０１０５】
他方、ステップＳ１０２で一括変換ボタン３０１がタッチされと判断されると、ステップＳ１０２からステップＳ１０３に進んで、メモリカード６０に既にデータが記録されているか否かを判断する。
【０１０６】
つまり、ステップＳ１０３に続くステップＳ１０４では、現在液晶表示パネル３に表示されている各サムネイルを優先順序に従って所定の画調で画調変換処理する。ここで、本実施形態においては、油絵調からエアブラシ画調までの８種類の画調に変換するプログラムが記憶されているが、その優先順序は、前述のように（（１）油絵調、（２）水彩画調、（３）油彩画調、（４）パステル画調、（５）色鉛筆画調、（６）クレヨン画調、（７）イラスト画調、（８）点描画調、（９）エアブラシ画調、（１０）シルクスクリーン調、（１１）刺繍絵調、（１２）コラージュ（糊付け）調である。したがって、１回目の一括変換ボタン３０１の操作に応じて、「（１）油絵調」で画像変換処理することになる。
【０１０７】
このとき、メモリカード６０に油絵調で画像変換された画像データが既に記憶されている場合もある。したがって、ステップＳ１０３では、メモリカード６０にサムネイルを油絵調に画調変換した画像データがあるか否かを判断し、油絵調に画調変換した画像データがないサムネイルを優先順序に従った画調（油絵調）で画調変換処理する（ステップＳ１０４）。
【０１０８】
引き続き、前記ステップＳ１０４の処理で生成された絵画調変換サムネイルの画像データをメモリカード６０の対応するファイルに書き込んで保存する（ステップＳ１０５）。したがって、このステップＳ１０５での処理により、図３（ｂ）に示すように、ファイルＦ１〜Ｆ１６に絵画調変換サムネイルが付加されて保存される。これにより、後述するインターラプトルーチンで、再度同一の絵画調変換サムネイルを作成する無用な処理の実行を未然に防止することができる。
【０１０９】
そして、現在液晶表示パネル３に表示されているサムネイル１〜１６に代わって、油絵調の変換画調画像を表示する（ステップＳ１０６）。したがって、このステップＳ１０６での処理により、液晶表示パネル３の表示画面は、図１１（ａ）に示した状態から同図（ｂ）に示した状態に遷移し、液晶表示パネル３にはサムネイルであって油絵調１〜油絵調１６の変換画調画像が表示されることとなる。よって、ユーザは素早く油絵調で画調変換を行った各サムネイル画像に対応する全画像を見ることができる。
【０１１０】
一括変換ボタン３０１がタッチされない場合には、ステップＳ１０２からステップＳ１０７に進んで、いずれかのサムネイルがワンタッチされたか否かを判断し、ワンタッチされない場合には、ステップＳ１０２からの処理を繰り返す。したがって、図１２（ａ）に示す表示状態（図１１（ｂ）と同様の表示状態）で、ユーザが一括変換ボタン３０１を再度タッチすると、２回目の一括変換ボタン３０１の操作に応じて、「（２）水彩画調」で画像変換処理が実行される（ステップＳ１０４）。
【０１１１】
このため、ステップＳ１０６での処理により、液晶表示パネル３の表示画面は、図１２（ａ）に示した状態から同図（ｂ）に示した状態に遷移し、液晶表示パネル３にサムネイルに対応する水彩画調１〜水彩画調１６の変換画調画像が表示されることとなる。よって、ユーザは素早く水彩画調で画調変換を行った各サムネイル画像に対応する全画像を見ることができる。
【０１１２】
なお、ここで、表示されているサムネイルに異なった画調の表示が混在している場合が考えられる。例えば図１１（ａ）において、図１０（ａ）のようにサムネイル７が油絵調、サムネイル８がパステル画調で表示されている状態で一括変換ボタン３０１を操作したとすると、前述した画調の優先順序に従い、全体を油絵調に変換するとともに、サムネイル７は水彩画調に、サムネイル８は鉛筆画調に変換される。
【０１１３】
一方、ＣＰＵ１１は、一定の時間間隔で前記メインルーチンに対して割りこんで、図１３に示すフローチャートに従いインターラプト処理を実行する。すなわち、所定のタイミングであるか否かを判断する（ステップＳ２０１）。ここで、所定のタイミングであるか否かの例としては、１）ＣＰＵ１１が計時している時刻に基づき、所定の時間であるか否か、例えば深夜２時から３時の間であるか否か、２）センサ４０からの信号に基づき画像表示装置１の周囲に所定時間以上人間がいないタイミングであるか否か３）電源をオフしたタイミングであるか否かのいずれであってもよい。
【０１１４】
そして、所定のタイミングでないと判断した場合には、以降の処理を実行することなくメインルーチンにリターンする。また、所定のタイミングと判断した場合には、液晶表示パネル３への画像データの出力を中止してから（ステップＳ２０２）、変換途中の画像が存在するか否か判定する（ステップＳ２０３）。ここで、変換途中の画像があると判定した場合は、ＲＡＭ１３に記憶しておいた変換途中の画像データとどこまで変換をしたか示すデータとを読み出して、変換の残りを実行する（ステップＳ２０４）。したがって、ステップＳ２０２で表示装置への画像データの出力を中止することで、ＣＰＵ１１の負担を減らして以下の変換処理を短時間で終了できる。
【０１１５】
ステップＳ２０３で、変換途中の画像がないと判定した場合には、メモリカード６０の中にまだ変換されていない画像データが存在するか否か判断する（ステップＳ２０５）。ここで、未変換の画像データがないと判断すると、メインルーチンにリターンする。一方、ステップＳ２０５で未変換の画像データ（本画像及びサムネイル）が存在すると判断すると、前記優先順序（１）〜（８）に従って、変換の種類を決定してから決定した変換に対応する変換プログラムを実行して画像データの画調変換を行う（ステップＳ２０６，Ｓ２０７）。
【０１１６】
つまり、各ファイルＦ１〜Ｆ１６のサムネイル１〜１６に対し、順次各画調（１）〜（８）の画調変換を行うとともに、各ファイルＦ１〜Ｆ１６の本画像１〜１６に対し、順次各画調（１）〜（８）の画調変換を行う。しかる後に、前記ステップＳ２０４又はステップＳ２０７で生成された変換画調画像の画像データを対応するファイルＦ１〜Ｆ１６に記憶して保存する（ステップＳ２０８）
【０１１７】
続いて、全ての種類の変換が終了したか否か判定する（ステップＳ２０９）。そして、全ての種類の変換が終了していない判定すると、ステップＳ２０６へ戻って次の変換の種類を決定し、変換を実行する。ステップＳ２０９で全ての種類の変換が終了した判定すると、当該自動変換処理を終了する。
【０１１８】
このようにインターラプト処理を行うことにより、ユーザが変換処理後の画像を見るために変換指令を入力した際に、既に変換済みの画像データを読み出して表示させることで、変換処理が終了するのを待たずに素早く所望の変換を行った画像を見ることができる。
【０１１９】
なお、本実施形態においては、液晶表示パネル３にサムネイル１〜１６を表示し、タッチされたサムネイルを画調変換する画像として指定するようにしたが、本画像を順次表示しタッチされた時点で表示されている本画像を画調変換する画像として指定するようにしてもよい。
【０１２０】
（第２の実施の形態）
図１４は、本発明の第２の実施の形態に係る画調変換サービスシステムの構成を示すシステム構成図である。図において、端末として機能する画像表示装置１は、図１及び図２に示した第１の実施の形態と同様の構成である。したがって、画像表示装置１は、情報送受信機能を備える。
【０１２１】
画像表示装置１は、無線基地局６３０を介して通信サービス会社に接続される。
【０１２２】
通信サービス会社６４０は、通信サービスに必要とする通信回路処理部６４１の他、後述のＷＷＷ（インターネット）６５０に接続するためのシステム（Ｗｅｂサーバー６４３）、メールシステム（メールサーバー６４２）を備えている。また、無線基地局６３０をＡＰ（アクセス・ポイント）として、画像表示装置１をＷＷＷ６５０に接続させるための機能も備えている。画調変換サービス会社６６０は、ＷＷＷ６５０に接続するためのシステム（Ｗｅｂサーバー６６１）、及び管理サーバー６６３を備えている。
【０１２３】
図１５は、前記管理サーバー６６３の詳細を示すブロック図であり、前記Ｗｅｂサーバー６６１は、ハブ６４を介して管理サーバー６６３に接続されている。管理サーバー６６３は、入力操作部（キーボード、マウス等）６３１、制御部（メインフレーム）６３２、システムプログラム記憶部６３３、ユーザ管理テーブル６３４、表示部６３５、及び通信制御部６３６がシステムバスにより相互に接続されたシステムである。そして、ユーザ管理テーブル６３４に登録されている登録者が操作する画像表示装置１に対し、有料あるいは無料で、受信した画像を画調変換して送信するサービスを行う。
【０１２４】
システムプログラム記憶部６３３には、制御部６３２に後述するフローチャートに示す動作を行わせるためのプログラムが記憶され、また、前述の絵画変換アルゴリズムが記憶されている。
【０１２５】
次に、図１６及び図１７に従って、本実施形態の動作について説明する。画像表示装置１のＣＰＵ１１は、ＲＯＭ１２に記憶されているプログラムに基づき、図１６のフローチャートに示すように処理を実行する。この画像表示装置１と接続される管理サーバー６６３は、システムプログラム記憶部６３３に記憶されているプログラムに基づき、図１７のフローチャートに示すように処理を実行する。
【０１２６】
すなわち、エフェクトモードにおいて、ＣＰＵ１１は、図１６のフローチャートに示すように、表示対象の画像データをメモリカード６０から各画像ファイルＦ１〜Ｆ１６を読み出すとともに、各画像ファイルＦ１〜Ｆ１６サムネイル１〜１６の画像データを読み出す。そして、これらサムネイル画像データに基づき、液晶表示パネル３にサムネイルを表示させる（ステップＳＡ１）。したがって、このステップＳＡ１での処理により、図６に示すように、液晶表示パネル３には、サムネイル１〜１６が一覧表示される。なお、このときＣＰＵ１１は、液晶表示パネル３の下端隅部に一括変換ボタン３０１とページ送りボタン３０２をも表示させる。
【０１２７】
そして、この一括変換ボタン３０１がユーザの手指によりタッチされたか否かを、タッチパネル５からの出力に基づき判断する（ステップＳＡ２）。一括変換ボタン３０１がタッチされたならば、メモリカード６０に既にデータが記録されているか否かを判断する（ステップＳＡ３）。
【０１２８】
つまり、ステップＳ１０３に続くステップＳＡ４では、現在液晶表示パネル３に表示されている各サムネイル（サムネイル１〜１６）を、優先順序に従った所定の画調で画調変換処理するために管理サーバー６６３に送信する。ここで、優先順序は、前述のように（１）油絵調、（２）水彩画調、（３）パステル画調、（４）鉛筆画調、（５）クレヨン画調、（６）イラスト画調、（７）点描画調、（８）エアブラシ画調である。したがって、１回目の一括変換ボタン３０１の操作に応じて、「（１）油絵調」で画像変換処理することになる。
【０１２９】
このとき、後述するようにメモリカード６０に油絵調で画像変換された画像データが既に記憶されている場合もある。したがって、ステップＳＡ３では、メモリカード６０にサムネイルを油絵調に画調変換した画像データがあるか否かを判断し、画調変換した画像データがないサムネイルを優先順序に従って所定の画調（油絵調）で画調変換するために、サムネイルと、変換する画調の種類（（１）〜（８）のいずれかであり、この時点では（１）油絵調）を管理サーバー６６３に送信する。このとき、現時点ではサムネイル１〜１６に対応するファイルＦ１〜Ｆ１６のいずれにも、油絵調に変換された画像データがないので、サムネイル１〜１６が画調の種類「油絵調」とともに送信されることとなる。
【０１３０】
一方、管理サーバー６６３は、図１７のフローチャートに示すように、サムネイルと画調の種類とを受信したか否かを判断する（ステップＳＢ１）。サムネイル（サムネイル１〜１６）と画調の種類とを受信したならば、受信したサムネイルを受信した画調の種類で画調変換処理する（ステップＳＢ２）。
【０１３１】
引き続き、このステップＳＡ２の処理で生成された絵画調変換サムネイルの画像データを画像表示装置１に送信する（ステップＳＢ３）。
【０１３２】
すると、画像表示装置１のＣＰＵ１１は、通信制御部３０を介して、前記画像データを受信し（ステップＳＡ５）、メモリカード６０の対応するファイルに書き込んで保存する（ステップＳＡ６）。したがって、このステップＳＡ６での処理により、図３（ｂ）に示すように、ファイルＦ１〜Ｆ１６に絵画調変換サムネイルが付加されて保存される。これにより、後述するインターラプトルーチンで、再度同一の絵画調変換サムネイルを作成するために通信を行う無用な処理の実行を未然に防止することができる。
【０１３３】
そして、現在液晶表示パネル３に表示されているサムネイル１〜１６に代わって、油絵調の変換画調画像を表示する（ステップＳＡ７）。したがって、このステップＳＡ７での処理により、液晶表示パネル３の表示画面は、図１１（ａ）に示した状態から同図（ｂ）に示した状態に遷移し、液晶表示パネル３にはサムネイルであって油絵調１〜油絵調１６の変換画調画像が表示されることとなる。よって、ユーザは素早く油絵調で画調変換を行った各サムネイル画像に対応する全画像を見ることができる。
【０１３４】
また、ステップＳＡ７に続くステップＳＡ８においては、いずれかのサムネイルがワンタッチされたか否かを判断し、ワンタッチされない場合には、ステップＳＡ２からの処理を繰り返す。したがって、図１２（ａ）に示す表示状態で、ユーザが一括変換ボタン３０１を再度タッチすると、２回目の一括変換ボタン３０１の操作に応じて、サムネイルと画調の種類「水彩画調」とが管理サーバー６６３に送信される（ステップＳＡ４）。
【０１３５】
また、管理サーバー６６３からは、サムネイルを水彩画調に画調変換した画像データが送信されてくる。したがって、ステップＳＡ７での処理により、液晶表示パネル３の表示画面は、図１２（ａ）に示した状態から同図（ｂ）に示した状態に遷移し、液晶表示パネル３にサムネイルに対応する水彩画調１〜水彩画調１６の変換画調画像が表示されることとなる。よって、ユーザは素早く水彩画調で画調変換を行った全画像を見ることができる。
【０１３６】
このように、変換画調画像が表示されている状態において、ユーザがいずれかの変換画調画像にワンタッチすると、タッチパネル５によりこれが検出されて、ＣＰＵ１１はステップＳＡ８をＹＥＳと判断する。すると、ＣＰＵ１１は、メモリカード６０に既にデータが記録されているか否かを判断する（ステップＳＡ９）。
【０１３７】
つまり、ステップＳＡ９に続くステップＳＡ１０では、ワンタッチされたサムネイルに対し、他の画調変換処理を実行するために送信を行う。すなわち、図７（ａ）に示すように、サムネイル１〜１６が表示されている状態において、ユーザがサムネイル７とサムネイル８とをワンタッチしたとする。すると、優先順序は、油絵調が「（１）」であることから、サムネイル７とサムネイル８とを油絵調で画調変換処理するための送信を行う。
【０１３８】
このとき、後述するようにメモリカード６０に油絵調で画像変換された画像データが記憶されている場合もある。したがって、ステップＳＡ８では、メモリカード６０にサムネイルを油絵調に画調変換された画像データがあるか否かを判断し、ない場合にのみ、ワンタッチされた画調画像に対応するサムネイルと、当該サムネイルを変換する画調の種類とを送信する（ステップＳＡ１０）。
【０１３９】
管理サーバー６６３は、図１のフローチャートに示すように、サムネイルと画調の種類とを受信したか否かを判断する（ステップＳＢ１）。サムネイルと画調の種類とを受信したならば、受信したサムネイルを受信した画調の種類で画調変換処理する（ステップＳＢ２）。
【０１４０】
引き続き、このステップＳＢ２の処理で生成された絵画調変換サムネイルの画像データを画像表示装置１に送信する（ステップＳＢ３）。
【０１４１】
すると、画像表示装置１のＣＰＵ１１は、通信制御部３０を介して、前記画像データを受信し（ステップＳＡ１１）、メモリカード６０の対応するファイルに書き込んで保存する（ステップＳＡ１２）。したがって、このステップＳＡ６での処理により、図３（ｂ）に示すように、ファイルＦ１〜Ｆ１６に絵画調変換サムネイルが付加されて保存される。これにより、後述するインターラプトルーチンで、再度同一の絵画調変換サムネイルを作成するために通信を行う無用な処理の実行を未然に防止することができる。
【０１４２】
しかる後に、現在液晶表示パネル３に表示されているサムネイル７及びサムネイル８に代わって、油絵調の変換画調画像を差し替え表示する（ステップＳＡ１３）。したがって、このステップＳＡ１３での処理により、液晶表示パネル３の表示画面は、図７（ａ）に示した状態から同図（ｂ）に示した状態に遷移し、液晶表示パネル３にはサムネイル７、８に代わって油絵調７、８が表示されることとなる。
【０１４３】
引き続き、いずれかのサムネイルにダブルタッチ（２回連続したタッチ）がなされたか否かを判断する（ステップＳＡ１４）。ダブルタッチされない場合には、ステップＳＡ８に戻る。したがって、図８（ａ）に示す表示状態において、ユーザが油絵調８をワンタッチしたとする。すると、優先順序は、（１）油絵調の次が（２）水彩画調であることから、データがない場合には、油絵調８に対応するサムネイル８を水彩画調で画調変換処理するための送信が画像表示装置１側で行われ（ステップＳＡ１１）、管理サーバー６６３側で変換処理が行われる（ステップＳＢ２）。
【０１４４】
すなわち、管理サーバー６６３はシステムプログラム記憶部６３３に記憶されている絵画変換アルゴリズムを用いてサムネイル８に対し画調変換処理を行い、変換画調画像データを生成し、この生成した変換画調画像データにより水彩画調の変換画調画像を作成する。しかる後にこのデータを送信する（ステップＳＢ３）
【０１４５】
そして、画像表示装置１はこれを受信して（ステップＳＡ１１）、データ保存を行った後（ステップＳＡ１２）、現在液晶表示パネル３に表示されている油絵調８に代わって、作成したパステル画調の変換画調画像を差し替え表示する（ステップＳＡ１３）。したがって、このステップＳＡ１１での処理により、液晶表示パネル３の表示画面は、図８（ｂ）に示した状態から同図（ｂ）に示した状態に遷移し、液晶表示パネル３には油絵調８に代わってパステル画調８が表示されることとなる。
【０１４６】
このとき、ＣＰＵ１１は、画調変換処理を行うことなくデータの送受信を行うのみであることから、処理に時間がかかることはない。したがって、ユーザは素早く所望の画調変換を行った画像を見ることができる。
【０１４７】
また、ワンタッチ操作により、いずれの画像をいずれの画調画像に変換するか簡単に選択することができる。したがって、その場で色々な変換を試して、いずれの画調がサムネイルに対応する本画像にとって最適な変換であるかを判定することができる。
【０１４８】
このように、ユーザが所望する画調の画像が複数表示されている状態において、ユーザがいずれかの画調画像にダブルタッチすると、タッチパネル５によりこれが検出されて、ＣＰＵ１１はステップＳＡ１４をＹＥＳと判断する。したがって、ＣＰＵ１１は、ステップＳＡ１４からステップＳＡ１５に処理を進めて、メモリカード６０に既にデータが記録されているか否かを判断する。
【０１４９】
つまり、ステップＳ１１５に続くステップＳＡ１６では、ダブルタッチされた画調画像のサムネイルに対応する本願像に対し、タッチされた画調で画調変換処理を行うためにデータ送信を実行する。このとき、メモリカード６０に本画像を画調変換した画像データが記憶されている場合もある。したがって、ステップＳＡ１３では、メモリカード６０にダブルタッチされた画調画像のサムネイルに対応する本願像を画調変換した画像データがあるか否かを判断し、ない場合にのみ、ステップＳＡ１６〜ＳＡ１８の処理を実行する。
【０１５０】
まず、ダブルタッチされた画調画像のサムネイルに対応する本願像と、これを変換すべき画調の種類とを送信する（ステップＳＡ１６）。
【０１５１】
つまり、図１０（ａ）に示すように、パステル画調８が表示されている状態において、ユーザが当該パステルが調８をダブルタッチしたとする。すると、ＣＰＵ１１は、先ずパステル画調８に対応するサムネイル８が記録されているファイルＦ８をＲＡＭ１３にて検索し、検索したファイルＦ８から本画像８を読み出す。また、パステル画調８がダブルタッチされたことから、変換すべき画調はパステル画調であり、変調する種別を「パステル画調」と決定する。そして、この読み出した本画像８と変調する種別「パステル画調」とを管理サーバー６６３に送信する。
【０１５２】
他方、管理サーバー６６３は、図１５のフローチャートに示すように、本画像と画調の種類とを受信したか否かを判断する（ステップＳＢ４）。本画像（本画像８）と画調の種類（水彩画調）とを受信したならば、受信した本画像を受信した画調の種類で画調変換処理する（ステップＳＢ５）。
【０１５３】
すなわち、システムプログラム記憶部６３３に記憶されている実際に画家により描かれた油絵の原画から、色彩情報と筆触情報等の特徴を抽出し、抽出した特徴を付与することにより、受信した本画像に対し画調変換処理を行って、変換画調画像データを生成し、この生成した変換画調画像データにより水彩画調の変換画調画像を作成する。引き続き、このステップＳＢ５の処理で生成された絵画調変換本画像の画像データを画像表示装置１に送信する（ステップＳＢ６）。
【０１５４】
すると、画像表示装置１は、管理サーバー６６３から送信された画像データを受信し（ステップＳ１７）、受信した絵画調変換本画像の画像データをメモリカード６０の対応するファイルに書き込んで保存する（ステップＳＡ１８）。したがって、このステップＳＡ１８での処理により、図４に示すように、ファイルＦ８に絵画調変換された本画像８が付加されて保存される。これにより、後述するインターラプトルーチンで、再度同一の絵画調変換本画像を作成するための無用な送受信処理の実行を未然に防止することができる。
【０１５５】
そして、現在液晶表示パネル３に表示されている水彩画調１〜水彩画調１６に代わって、パステル画調の本画像８の変換画調画像を全画面表示する（ステップＳＡ１９）。したがって、このステップＳＡ１６での処理により、液晶表示パネル３の表示画面は、図１０（ａ）に示した状態から同図（ｂ）に示した状態に遷移し、液晶表示パネル３には本画像８のパステル画調画像であるパステル画調８が表示されることとなる。
【０１５６】
したがって、ワンタッチ操作により、いずれの画像をいずれの画調画像に変換するか簡単に選択することができるのみならず、その場で色々な変換を試し、最終的に適切と判断した変換画調で本画像を画調変換することができる。
【０１５７】
また、画像表示装置１のＣＰＵ１１は、一定の時間間隔で前記メインルーチンに対して割りこんで、図１８に示すフローチャートに従いインターラプト処理を実行する。すなわち、所定のタイミングであるか否かを判断する（ステップＳＡ２１）。ここで、所定のタイミングであるか否かは、前述した第１の実施の形態と同様である。
【０１５８】
そして、所定のタイミングでないと判断した場合には、以降の処理を実行することなくメインルーチンにリターンする。また、所定のタイミングと判断した場合には、液晶表示パネル３への画像データの出力を中止してから（ステップＳＡ２２）、メモリカード６０を検索して未だ画調変換されていないサムネイルが存在するか否か判定する（ステップＳＡ２３）。未だ画調変換されていないサムネイルがある場合には、当該サムネイルと画調変換されていない画調の種類とを送信する（ステップＳ２４）。
【０１５９】
また、メモリカード６０を検索して未だ画調変換されていない本画像が存在するか否か判定する（ステップＳＡ２５）。未だ画調変換されていない本画像がある場合には、当該本画像と画調変換されていない画調の種類とを送信する（ステップＳ２６）。
【０１６０】
すると、管理サーバー６６３の制御部６３２は、前述と同様に図１５のフローチャートに従って処理を実行しサムネイルと画調の種類を受信した場合には（ステップＳＢ１；ＹＥＳ）、受信したサムネイルを受信した種類の画調で変換し（ステップＳＢ２）、画調変換したデータを送信する（ステップＳＢ３）。また、本画像と画調の種類を受信した場合には（ステップＳＢ４；ＹＥＳ）、受信した本画像を受信した種類の画調で変換し（ステップＳＢ５）、画調変換したデータを送信する（ステップＳＢ６）。
【０１６１】
すると、画像表示装置１のＣＰＵ１１は、管理サーバー６６３から送信されたデータを受信して（ステップＳＡ２７）、受信したデータを対応するファイルＦ１〜Ｆ１６に保存する（ステップＳ２８）。
【０１６２】
このようにインターラプト処理を行うことにより、ユーザが変換処理後の画像を見るために変換指令を入力した際に、既に変換済みの画像データを読み出して表示させることで、変換処理が終了するのを待たずに素早く所望の変換を行った画像を見ることができる。
（第３の実施の形態）
本実施の形態は図１４、図１５に示す画調変換サービスシステムと同じ構成であるが、前記第２の実施の形態では、画像表示装置１のＲＯＭ１２には、第１の実施の形態とは異なり、（１）油絵調、（２）水彩画調、（３）パステル画調、（４）油彩画調、（５）色鉛筆画調、（６）クレヨン画調、（７）イラスト画調、（８）点描画調、（９）エアブラシ画調、（１０）シルクスクリーン調、（１１）刺繍絵調、（１２）コラージュ（糊付け）調に画調変換する絵画変換アルゴリズムは記憶されておらず、その種類と優先順序（１）〜（１２）のみが記憶されているようにした。これに対し本第３の実施の形態では第１の実施の形態と同様、画像表示装置１のＲＯＭ１２に各画調（１）〜（１２）に画調変換する絵画変換アルゴリズムを記憶している。
【０１６３】
そして、サムネイルをワンタッチにより指定して画調変換する場合は第１の実施の形態のように画像表示装置１内部で変換処理を行い、サムネイルへダブルタッチして本画像の画像データを画調変換する場合は管理サーバー６６３に送って管理サーバー６６３内で画調変換を行う。
【０１６４】
これにより、処理の軽いサムネイルの画調変換は端末内で行い、処理の重い本画像の画調変換はサーバー側で行うことによって効率的な作業分担をはかることができる。
【０１６５】
詳細なフローチャートは第１または第２の実施の形態と重複するので省略する。
【０１６６】
管理サーバー６６３で変換処理した変換画調画像データは画像表示装置１へ戻しても良いし、画調変換サービス会社６６０がプリントサービスを行って絵画調のプリントを作成してユーザに郵送してもよい。
【０１６７】
（第４の実施形態）
次に、第４の実施形態のエフェクトモードにおける画像表示装置１の具体的な動作について説明する。
【０１６８】
図１９は、本実施形態においてエフェクトモードが設定されているときのＣＰＵ１１の処理手順を示すフローチャートである。エフェクトモードが設定されているとき、ＣＰＵ１１は、ＲＯＭ１２に記憶されているプログラムに従いこのフローチャートに示すように処理を実行する。
【０１６９】
まず、ＣＰＵ１１は、メモリカード６０から表示対象の画像ファイルＦ１〜Ｆ１６のサムネイル画像データを読み出す。そして、これらサムネイル画像データに基づき、液晶表示パネル３にサムネイルを表示させる（ステップＳ３０１）。したがって、このステップＳ３０１での処理により、図２０（ａ）に示すように、液晶表示パネル３には、サムネイル１〜１６が一覧表示される。なお、このときＣＰＵ１１は、液晶表示パネル３の下端隅部に決定ボタン３０５、ＡＬＬボタン３０６、ＮＥＸＴボタン３０７及び変換ボタン３０８をも表示させる。変換ボタン３０８は液晶表示パネル３に表示されている画調変換されたサムネイルに対応する本画像を一括して指定されている画調に変換するためのボタンである。
【０１７０】
次に、現在液晶表示パネル３に表示されている画像（１６枚）のいずれかに対する指定操作としてのワンタッチ（例えば所定時間である１秒以内に１回のタッチ）が検出されたか否かを判断する（ステップＳ３０２）。いずれかの画像に対するワンタッチが検出された場合には、当該サムネイルを画調変換する（ステップＳ３０４）。このとき、優先順序は、油絵調が「（１）」であることから、当該サムネイルを油絵画調で画調変換処理する。
【０１７１】
引き続き、変換した画調変換画像を液晶表示パネル３に表示する（ステップＳ３０５）。したがって、図２０（ａ）に示すように、「サムネイル１」〜「サムネイル１６」が液晶表示パネル３に表示されている状態で「サムネイル７」にワンタッチすると、同図（ｂ）に示す表示状態に遷移する。これにより、液晶表示パネル３には、「サムネイル７」を除くサムネイル１〜１６とともに「サムネイル７」を油絵調で画調変換した「油絵調７」が表示される。
【０１７２】
また、ＮＥＸＴボタン３０７がタッチされたか否か（ステップＳ３０５）、ＡＬＬボタン３０６がタッチされたか否か（ステップＳ３０７）、決定ボタン３０５がタッチされたか否か（ステップＳ３０８）、いずれかの画調変換画像にロングタッチ（例えば所定時間以上である２秒以上の継続したタッチ）されたか否か（ステップＳ３１２）、変換ボタン３０８にタッチされたか否か（ステップＳ３１４）を判断する。これらボタン３０５、３０６、３０７、３０８のいずれもタッチされない場合、及びいずれの画調変換画像にもロングタッチされない場合には、ステップＳ３１４からステップＳ３０２に戻る。
【０１７３】
したがって、図２０（ｂ）に示す表示状態で、ユーザが「油絵調７」にワンタッチすると、ステップＳ３０２の判断がＹＥＳとなる。このとき、優先順序は、「（１）油絵調」の次が「（２）水彩画調」であることから、「油絵調７」に対応するサムネイル７が水彩画調で画調変換処理される（ステップＳ３０３）。また、この画調変換された変調変換画像が液晶表示パネル３に表示される（ステップＳ３０４）。したがって、図２０（ｂ）の表示状態か図２１（ａ）の表示状態に遷移し、液晶表示パネル３には、「サムネイル７」を除くサムネイル１〜１６とともにサムネイル７を水彩画調で画調変換した「水彩画調７」が「油絵調７」に代わって表示される。
【０１７４】
したがって、素早く所望の画調変換を行った画像を見ることができるのみならず、いずれの画像をいずれの画調画像に変換するかを簡単に選択することができる。
【０１７５】
サムネイルは１６０×１２０画素あれば十分に画調のニュアンスをみることができる。画像表示装置１の液晶表示パネル３の表示画面がより大きく、３行３列表示にすればＱＶＧＡサイズ（３２０×２４０画素）のサムネイルも可能である。
【０１７６】
また、図２１（ａ）に示す表示状態で、ユーザがＮＥＸＴボタン３０７にタッチすると、ステップＳ１０５の判断がＹＥＳとなる。したがって、ＣＰＵ１１は、ステップＳ３０５からステップＳ３０６に進んで、液晶表示パネル３に表示されている１６枚の画像において、画調変換画像を除く画像（サムネイル）を次のサムネイルに表示変更する。
【０１７７】
したがって、液晶表示パネル３は図２１（ａ）の表示状態から同図（ｂ）の表示状態に遷移し、「水彩画調７」を除くサムネイル１〜６、８〜１６が次のファイル１７〜３１から読み出されたサムネイル１７〜３１に置き換えられて表示される。
【０１７８】
よって、ＮＥＸＴボタン３０７をタッチすれば、それまでユーザが画調変換を所望して変換させた画調変調画像（「水彩画調７」）はそのまま維持される一方、所望しない他のサムネイルは新たなサムネイルに変更される。これにより、ユーザは所望のサムネイルを所望の画調で変換した後も、更に所望のサムネイルを所望の画調で変換するための操作を継続することができる。
【０１７９】
なお、図２１（ａ）（ｂ）においては、ＮＥＸＴボタン３０７に対するタッチに応答して、ページ送りすることにより、画調変調画像（「水彩画調７」）以外のサムネイルを全て変更するようにした。しかし、前述のようにページ単位で送らなくても、行単位又は列単位、あるいは単位無く少しずつスクロールしてもよいのであるから、例えば図１２（ａ）の状態で上方向に１行（行単位）送ると、最上行のサムネイル１〜４の行が消滅し、最上行であるサムネイル１３〜１６の下の行に、サムネイル１７〜２０が表示された状態となる。
【０１８０】
なお、画調変調画像（「水彩画調７」）の行が送られて画面外に移動する際には、当該行において画調変調画像（「水彩画調７」）を除く他のサムネイルのみが消去されることとなる。
【０１８１】
また、図２１（ｂ）に示す表示状態で、ユーザが「サムネイル２４」と「サムネイル２７」にワンタッチするとステップＳ１０２の判断がＹＥＳとなる。したがって、ＣＰＵ１１はステップＳ３０２からステップＳ１０３に処理を進めてワンタッチが検出されたサムネイルを画調変換する（ステップＳ３０４）。このとき、「サムネイル２４」と「サムネイル２７」に対するワンタッチは、最初のワンタッチであり優先順序は、油絵調が「（１）」であることから、当該サ  ムネイルを油絵画調で画調変換処理する。
【０１８２】
引き続き、変換した画調変換画像を液晶表示パネル３に表示する（ステップＳ３０５）。したがって、図２１（ｂ）に示す表示状態から図２２（ａ）に示す表示状態に遷移する。つまり、液晶表示パネル３には、サムネイル１７〜２２、２３、２５、２６、２８〜３１、及び「水彩画調７」はそのままで、サムネイル２４とサムネイル２７を油絵調で画調変換した「油絵調２４」と「油絵調２７」が、「サムネイル２４」と「サムネイル２７」とに代わってが表示される。
【０１８３】
また、図２２（ａ）に示す表示状態で、ユーザがＮＥＸＴボタン３０７にタッチすると、ステップＳ１０５の判断がＹＥＳとなる。したがって、ＣＰＵ１１は、ステップＳ３０５からステップＳ３０６に進んで、液晶表示パネル３に表示されている１６枚の画像において、画調変換画像を除く画像（サムネイル）を次のサムネイルに表示変更する。
【０１８４】
したがって、液晶表示パネル３は図２２（ａ）の表示状態から同図（ｂ）の表示状態に遷移し、「水彩画調７」、「油絵調２４」、「油絵調２７」を除くサムネイル１７〜２２、２３、２５、２６、２８〜３１に代わって、次の１３個のファイル３２〜４４から読み出されたサムネイル３２〜４４に置き換えられて表示される。
【０１８５】
よって、ＮＥＸＴボタン３０７をタッチすれば、それまでユーザが画調変換を所望して変換させた画調変調画像（「水彩画調７」）、「油絵調２４」、「油絵調２７」）はそのまま維持される一方、所望しない他のサムネイル（サムネイル１７〜２２、２３、２５、２６、２８〜３１）は新たなサムネイル（サムネイル３２〜４４）に変更される。これにより、ユーザは所望のサムネイルを所望の画調で変換した後も、更に所望のサムネイルを所望の画調で変換するための操作を継続することができる。
【０１８６】
また、図２２（ｂ）に示すように、ユーザが１）「サムネイル３２」とその変換画調画像とにワンタッチを計３回
２）「サムネイル３３」とその変換画調画像とにワンタッチを計２回
３）「サムネイル３５」とその変換画調画像とにワンタッチを計３回
４）「サムネイル４２」とその変換画調画像とにワンタッチを計３回
したとする。すると、サムネイルに対するワンタッチが検出される都度、前述したステップＳ３０３の処理とステップＳ３０４の処理が実行される。
【０１８７】
したがって、図２２（ｂ）の表示状態から図２３（ａ）の表示状態に遷移し、
１）ワンタッチが計３回された「サムネイル３２」は、優先順位「（３）パステル画調」    により「パステル画調３２」に変換されて表示され、
２）ワンタッチが計２回された「サムネイル３３」は、優先順位「（２）水彩画調」によ    り「水彩画調３３」に変換されて表示され、
３）ワンタッチが計３回された「サムネイル３５」は、優先順位「（３）パステル画調」    により「パステル画調３５」に変換されて表示され、
４）ワンタッチが計３回された「サムネイル４２」は、優先順位「（３）パステル画調」    により「パステル画調４２」に変換されて表示された状態となる。
【０１８８】
また、ワンタッチされなかった「サムネイル３４」、「サムネイル３６」、「サムネイル３７」、「水彩画調７」、「サムネイル３８」、「油絵調２４」、「サムネイル３９」、「サムネイル４０」、「油絵調２７」、「サムネイル４１」、「サムネイル４３」、「サムネイル４４」は従前と同様に表示され続けられる。
【０１８９】
また、ユーザが決定ボタン３０５をタッチすると、ステップＳ３０８の判断がＹＥＳとなり、ＣＰＵ１１はステップＳ１０８からステップＳ３０９以降に処理を進める。すなわち、決定ボタン３０５がタッチされたならば、液晶表示パネル３の画面上に表示されている全画像を含む単一性を有する画像データを生成する（ステップＳ３０９）。
【０１９０】
したがって、例えば図２３（ａ）の表示状態でユーザが決定ボタン３０５にタッチしたとすると、全画像は同図（ｂ）に示すように、「パステル画調３２」「水彩画調３３」「サムネイル３４」「パステル画調３５」「サムネイル３６」「サムネイル３７」「水彩画調７」「サムネイル３８」「油絵調２４」「サムネイル３９」「サムネイル４０」「油絵調２７」「サムネイル４１」「パステル画調４２」「サムネイル４３」「サムネイル４４」からなる１６枚の画像である。よって、ステップＳ３０９では、図２３に示すように、これら１６枚の画像を表すことのできる単一性を有する画像データＤ００が生成される。
【０１９１】
さらに、ＣＰＵ１１はこの生成した画像データＤ００をＪＰＥＧ方式で処理し、圧縮する（ステップＳ３１０）。したがって、このステップＳ３１０での処理により、前記画像データ「Ｄ００」からＪＰＥＧ形式の画像データ「Ｄ００.ＪＰＥＧ」が生成される。そして、この生成されたＪＰＥＧ形式の画像データをメモリカード６０のフォルダＢに保存する（ステップＳ１１０）。したがって、このステップＳ３１０での処理により、メモリカード６０のフォルダＢには、ＪＰＥＧ形式の画像データ「Ｄ００.ＪＰＥＧ」が記憶される。
【０１９２】
このフォルダＢに記憶された画像データ「Ｄ００.ＪＰＥＧ」にあっては、ＪＰＥＧ形式の画像データであることから、メモリカード６０を当該画像表示装置１から取り外して、他の画像表示装置等に装着することにより、サムネイル３４、３６、３７、３８、３９、４０、４１、４３、４４及び各変調画像３２、３３、３５、７、２４、２７、４２を再生して表示することができる。したがって、この画像表示装置１で素早く所望の画調変換を行った画像を見ることができるという効果を他の機器でも得ることができる。ここでは、所定の形式としてＪＰＥＧを例に取ったが、ＪＰＥＧに限るものではない。また、画像表示装置１で作成した特殊な形式の画像も、メモリカード経由で他の画像表示装置に表示させることができる。
【０１９３】
因みに、他の機器で「Ｄ００.ＪＰＥＧ」に基づく画像を表示させても、画像データは１つのＪＰＥＧ画像であるため、あくまで全体の雰囲気を素早く把握するためのものであってその中の１つの縮小画像を選択することはできない。
【０１９４】
また、ＡＬＬボタン３０６がタッチされると、ステップＳ３０７の判断がＹＥＳとなり、ＣＰＵ１１はステップＳ３０７からステップＳ３０１に戻って最初からの処理を再度実行する。したがって、ユーザが画調変換を最初からやり直す必要があるとした場合には、ＡＬＬボタン３０６をタッチすることにより、それまでの画調変換を無効にして引き続き最初から画調変換を行うことができる。
【０１９５】
また、ユーザが決定ボタン３０５とＡＬＬボタン３０６、及び変換ボタン３０８にタッチすることなく、いずれかの画調変換画像にロングタッチしたとすると、ステップＳ３０７及びステップＳ３０８の判断はＮＯとなり、かつステップＳ３１２の判断がＹＥＳとなる。したがって、ＣＰＵ１１はステップＳ１１２からステップＳ３１３へ進み、当該画調変換された画像に対応するサムネイルに対応する本画像を当該画調で画調変換して表示する。
【０１９６】
つまり、図２３（ａ）の状態で、「水彩画調３３」にロングタッチしたとすると、「水彩画調３３」に対応するサムネイルは「サムネイル３３」であり、「サムネイル３３」に対応する本画像は「本画像３３」ある。したがって、「本画像３３」を水彩画調で画調変換した画像データを生成し、この画像データに基づく変換画調画像を表示する。引き続き、本画像を画調変換した画像データを前述と同様に、ＪＰＥＧ処理して（ステップＳ１１０）、フォルダＢに保存する（Ｓ３１１）。
【０１９７】
したがって、前述のようにサムネイルを画調変換した画像により、画像表示装置１で素早く所望の画調変換を行った画像を見ることができるのみならず、見た結果、気に入った画調の画像に対応する本画像を当該画調で変換して観賞し、保存しておくこともできる。
【０１９８】
また、ユーザが決定ボタン３０５とＡＬＬボタン３０６にタッチすることなく、かついずれかの画調変換画像にロングタッチすることなく、変換ボタン３０８にタッチしたとすると、ステップＳ３０７、ステップＳ３０８及びステップＳ３１２の判断はＮＯとなり、かつステップＳ３１４の判断がＹＥＳとなる。したがって、ＣＰＵ１１はステップＳ３１４からステップＳ３１５へ進み、各画調変換画像のサムネイルに対応する本画像を当該画調で画調変換して、順次表示する。
【０１９９】
つまり、図２３（ａ）の状態で、変換ボタンにタッチしたとすると、７個の画調変調画像「パステル画調３２」「水彩画調３３」「パステル画調３５」「水彩画調７」「油絵画調２４」「油絵画調２７」「パステル画調４２」が存在する。そして、
１）「パステル画調３２」に対応するサムネイルは「サムネイル３２」であり、
２）「水彩画調３３」に対応するサムネイルは「サムネイル３３」であり、
３）「パステル画調３５」に対応するサムネイルは「サムネイル３５」であり、
４）「水彩画調７」に対応するサムネイルは「サムネイル７」であり、
５）「油絵画調２４」に対応するサムネイルは「サムネイル２４」であり、
６）「油絵画調２７」に対応するサムネイルは「サムネイル２７」であり、
７）「パステル画調４２」に対応するサムネイルは「サムネイル４２」である。
【０２００】
したがって、
１）「サムネイル３２」に対応する「本画像３２」をパステル画調で、
２）「サムネイル３３」に対応する「本画像３３」を水彩画調で、
３）「サムネイル３５」に対応する「本画像３５」をパステル画調で、
４）「サムネイル７」に対応する「本画像７」を水彩画調で、
５）「サムネイル２４」に対応する「本画像２４」を油絵画調で、
６）「サムネイル２７」に対応する「本画像２７」を油絵画調で、
７）「サムネイル４２」に対応する「本画像４２」をパステル画調で、
各々画調変換した画像データを生成し、この画像データに基づく変換画調画像を順次表示する。引き続き、本画像を画調変換した画像データを前述と同様に、ＪＰＥＧ処理して（ステップＳ３１０）、フォルダＢに保存する（Ｓ３１１）。
【０２０１】
したがって、前述のようにサムネイルを画調変換した画像により、画像表示装置１で素早く所望の画調変換を行った画像を見ることができるのみならず、見た結果、気に入った画調の画像に対応する本画像の全てを当該画調で変換して観賞し、保存しておくこともできる。
【０２０２】
実施形態の効果は以下のとおりである。
【０２０３】
請求項１記載の発明に基づく実施形態によれば、本画像を表す画像データを複数記憶する記憶手段と、前記本画像に対して縮小された画像である縮小画像を複数表示する表示手段と、前記表示手段に表示されている縮小画像のいずれかを指定する画像指定手段と、前記画像指定手段により指定された縮小画像に対して変換指示を行う変換指示手段と、前記変換指示手段により指示された縮小画像に対して所定の画調変換処理を行い、変換画調画像を作成する画調変換手段と、を具備するとともに、前記画調変換手段は画像データを複数種類の画調に変換する手段を含み、前記画像指定手段により縮小画像を指定するごとに前記画調変換手段は指定された画像データを異なる画調に変換し、前記表示手段は前記画調変換手段によって作成された変換画調画像を表示することを特徴とする画像表示装置を提供するので、多数の画像の中から画像を選択して多数の種類の画調に変換する場合に素早く試してみることができる。
【０２０４】
請求項２記載の発明に基づく実施形態によれば、前記画像指定手段は本画像指定手段を有し、指定した縮小画像に対応する本画像に対し前記画調変換手段により画調変換処理を行うことを特徴とする請求項１記載の画像表示装置を提供するので、多数の画像の中から画像を選択して多数の種類の画調に変換する場合に素早く試して、データ量の大きな本画像の画調変換を実施することができる。
【０２０５】
請求項３記載の発明に基づく実施形態によれば、前記画像指定手段は前記表示手段に表示されている複数の縮小画像を一括して指定する一括指定手段を有し、該一括指定手段による一括指定により前記画調変換手段は前記表示手段に表示されている複数の縮小画像に対し一括して画調変換処理を行うことを特徴とする請求項１記載の画像表示装置を提供するので、表示画面に表示されている複数の縮小画像を一括して画調変換することができる。
【０２０６】
請求項４記載の発明に基づく実施形態によれば、前記画像指定手段は本画像指定手段を有し、指定した縮小画像に対応する本画像に対し前記画調変換手段により画調変換処理を行うことを特徴とする請求項３記載の画像表示装置を提供するので、縮小画像で素早く画調変換を確認して、データ量の大きい本画像の画調変換を実施できる。
【０２０７】
請求項５記載の発明に基づく実施形態によれば、本画像を表す画像データを記憶する記憶手段と、前記記憶手段に記憶されている画像データが表す本画像の縮小画像を複数表示する表示手段と、前記表示手段に表示されている縮小画像のいずれかを指定する画像指定手段と、前記画像指定手段により指定された縮小画像に対して変換指示を行う変換指示手段と、前記変換指示手段により指示された縮小画像に対して所定の画調変換処理を行い、縮小変換画調画像を作成する画調変換手段と、を具備し、前記記憶手段は、前記本画像、前記縮小画像、及び前記縮小変換画調画像を組にして１つのファイルとして記憶することを特徴とする画像表示装置を提供するので、この画像表示装置で素早く所望の画調変換を行った画像を見ることができるという効果を他の機器でも得ることができる。
【０２０８】
請求項６記載の発明に基づく実施形態によれば、前記記憶手段は、前記本画像に対して所定の画調変換処理を行った変換本画像も組にして、１つのファイルとして記憶することを特徴とする請求項５記載の画像表示装置を提供するので、再度同一の絵画調変換本画像を作成する無用な処理の実行を未然に防止することができる。
【０２０９】
請求項７記載の発明に基づく実施形態によれば、複数の本画像を表す画像データに対応する複数の縮小画像を並べて表示する画像表示方法において、複数種類の画調に変換する画調変換手段を有し、前記表示されている縮小画像のいずれかを複数回指定すると、指定するたびにその縮小画像が前記画調変換手段により変換された異なった画調の縮小画像にかわることを特徴とする画像表示方法を提供するので、多数の画像の中から画像を選択して多数の種類の画調に変換する場合に素早く試してみることができる。
【０２１０】
請求項８記載の発明に基づく実施形態によれば、複数の本画像を表す画像データに対応する複数の縮小画像を並べて表示する請求項６記載の画像表示方法において、前記表示されている複数の縮小画像を前記画調変換手段により一括して前記画調変換手段により変換された画調の縮小画像にかえることを特徴とする画像表示方法を提供するので、表示画面に表示されている複数の縮小画像を一括して画調変換することができる。
【０２１１】
請求項９記載の発明に基づく実施形態によれば、複数の本画像を表す画像データに対応する複数の縮小画像を並べて表示する請求項６記載の画像表示方法において、前記表示されている縮小画像を指定すると、前記画調変換手段によりその縮小画像に対応する本画像を表す画像データを画調変換することを特徴とする画像表示方法を提供するので、縮小画像で素早く画調変換を確認して、データ量の大きい本画像の画調変換を実施できる。
【０２１２】
請求項１０記載の発明に基づく実施形態によれば、本画像を表す画像データを記憶するステップと、記憶されている画像データにより表される本画像の縮小画像を複数表示するステップと、表示されている縮小画像のいずれかが指定されると該指定された縮小画像に対して変換指示を行うステップと、指示された縮小画像に対して所定の種類の画調への画調変換処理を行い、変換画調画像を作成するステップと、表示されている縮小画像が複数回指定されると該指定された縮小画像に対して指定される毎に異なった種類の画調への画調変換処理を行い、変換画調画像を作成するステップと、作成された変換画調画像を表示するステップと、を有することを特徴とするコンピュータにより実行可能なプログラムを提供するので、多数の画像の中から画像を選択して多数の種類の画調に変換する場合に素早く試してみることができるプログラムを得ることができる。
【０２１３】
請求項１１記載の発明に基づく実施形態によれば、本画像を表す画像データを記憶するステップと、記憶されている画像データによりの縮小画像を複数表示するステップと、表示されている縮小画像のいずれかが指定されると該指定された縮小画像に対して変換指示を行うステップと、指示された縮小画像に対応する本画像の画像データに対して所定の種類の画調への画調変換処理を行い、変換画調画像を作成するステップと、作成された変換画調画像を表示するステップと、を有することを特徴とするコンピュータにより実行可能なプログラムを提供するので、縮小画像で素早く画調変換を確認して、データ量の大きい本画像の画調変換を実施できるプログラムを得ることができる。
【０２１４】
請求項１２記載の発明に基づく実施形態によれば、本画像を表す画像データを複数記憶する記憶手段と、表示手段と、前記表示手段に、前記本画像に対して縮小された画像である縮小画像を複数表示する第１の表示制御手段と、前記表示手段に表示された前記複数の縮小画像のいずれかを当該表示手段の画面上で指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、送り操作に応じて、前記表示手段に表示されている変換画調画像を残して、縮小画像を前記記憶手段に記憶されている本画像に対して縮小された他の縮小画像に表示変更する第３の表示制御手段とを具備したことを特徴とする画像表示装置を提供するので、多数の画像を多数の種類の画調に変換する場合、どの画像を選択してどの画調を選択したらよいかを把握することができる。
【０２１５】
請求項１３記載の発明に基づく実施形態によれば、本画像を表す画像データを複数記憶する記憶手段と、表示手段と、前記表示手段に、前記本画像に対して縮小された画像である縮小画像を複数表示する第１の表示制御手段と、前記表示手段に表示された前記複数の縮小画像のいずれかを当該表示手段の画面上で指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、送り操作に応じて、前記表示手段に表示されている変換画調画像を残して、縮小画像を前記記憶手段に記憶されている本画像に対して縮小された他の縮小画像に表示変更する第３の表示制御手段とを具備し、前記画調変換手段は、更に前記表示手段に表示された変換画調画像を当該表示手段の画面上で指定する操作に応じて、当該指定された変換画調画像に対応する縮小画像を前記複数種類の画調のうち異なる種類の画調に変換し、前記第２の表示制御手段は、更に前記画調変換手段により変換された異なる種類の画調の変換画調画像を前記指定された変換画調画像に代えて、前記表示手段に表示させることを特徴とする画像表示装置を提供するので、ページ送りをするたびに画調変換された縮小画像が集まっていき、画調変換したい画像の選択を容易にする効果がある。
【０２１６】
請求項１４記載の発明に基づく実施形態によれば、本画像を表す画像データを複数記憶する記憶手段と、表示手段と、前記表示手段に、前記本画像に対して縮小された画像である縮小画像を複数表示する第１の表示制御手段と、前記表示手段に表示された前記複数の縮小画像のいずれかを当該表示手段の画面上で指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、送り操作に応じて、前記表示手段に表示されている絵画調画像を残して、縮小画像を他の縮小画像に表示変更する第３の表示制御手段と、を具備し、一括指定操作に応じて、前記表示手段に表示されている変換画調縮小画像に対応する本画像を、当該画調に変換する手段と、を具備したことを特徴とする画像表示装置を提供するので、ページ送りをするたびに画調変換された縮小画像が集まっていき、画調変換したい画像の選択を容易にするとともに、表示されている縮小画像全体を一括して画調変換することができる。
【０２１７】
請求項１５記載の発明に基づく実施形態によれば、前記画調変換手段は、更に前記表示手段に表示された変換画調画像を選択する操作に応じて、当該選択された変換画調画像に対応する縮小画像の本画像を当該選択された変換画調画像の画調に変換することを特徴とする請求項１２ないし１４にいずれか記載の画像表示装置を提供するので、データ量の少ない縮小画像の画調変換で素早く変換画調のイメージをとらえながら、データ量の大きい本画像の画調変換を実現することができる。
【０２１８】
請求項１６記載の発明に基づく実施形態によれば、前記画調変換手段は、更に所定の操作に応じて、前記表示手段に表示されている全ての変換画調画像に対応する縮小画像の本画像を当該選択された変換画調画像の画調に変換することを特徴とする請求項１２ないし１４にいずれか記載の画像表示装置を提供するので、データ量の少ない縮小画像の画調変換で素早く変換画調のイメージをとらえながら、データ量の大きい本画像の一括画調変換を実現することができる。
【０２１９】
請求項１７記載の発明に基づく実施形態によれば、前記画調変換手段は、前記本画像の画調変換画像を前記記憶手段に記録する手段を備えることを特徴とする請求項１５又は１６記載の画像表示装置を提供するので、画調変換した本画像を保存することができる。
【０２２０】
請求項１８記載の発明に基づく実施形態によれば、本画像を表す画像データを複数記憶する記憶手段と、表示手段とを具備する画像表示装置における画像表示方法であって、前記表示手段に、前記本画像に対して縮小された画像である縮小画像を複数表示する第１の表示制御ステップと、前記表示手段に表示された前記複数の縮小画像のいずれかを当該表示手段の画面上で指定する操作に応じて、当該指定された縮小画像を複数種類の画調のいずれかに変換する画調変換ステップと、前記画調変換ステップにより画調変換された変換画調画像を前記指定された縮小画像に代えて、前記表示手段に表示させる第２の表示制御ステップと、送り操作に応じて、前記表示手段に表示されている絵画調画像を残して、縮小画像を他の縮小画像に表示変更する第３の表示制御ステップとを含むことを特徴とする画像表示方法を提供するので、多数の画像を多数の種類の画調に変換する場合、ページ送りのたびに画調変換された縮小画像が集約されていき、どの画像を選択してどの画調を選択したらよいかを把握できる表示方法を得ることができる。
【０２２１】
請求項１９記載の発明に基づく実施形態によれば、表示手段に複数の縮小画像を表示させ、前記複数表示されている縮小画像を指定すると所定の画調に変換して変換画調縮小画像に置き換えて表示し、ページ送り指示により変換画調縮小画像は残したまま他の縮小画像を新たな縮小画像に置き換えて表示し、一括変換指示により表示されているすべての変換画調縮小画像に対応する本画像を当該画調に変換することを特徴とする画像表示方法を提供するので、多数の画像を多数の種類の画調に変換する場合、ページ送りのたびに画調変換された縮小画像が集約されていき、どの画像を選択してどの画調を選択したらよいかを把握できるとともに、表示されている縮小画像を一括して画調変換することができる。
【０２２２】
請求項２０記載の発明に基づく実施形態によれば、本画像を表す画像データを複数記憶する記憶手段と、表示手段とを備える画像表示装置が有するコンピュータが読み取り実行可能なプログラムであって、前記コンピュータを、前記表示手段に、前記本画像に対して縮小された画像である縮小画像を複数表示する第１の表示制御手段と、前記表示手段に表示された前記複数の縮小画像のいずれかを当該表示手段の画面上で指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、送り操作に応じて、前記表示手段に表示されている絵画調画像を残して、縮小画像を他の縮小画像に表示変更する第３の表示制御手段として機能させることを特徴とするプログラムを提供するので、多数の画像を多数の種類の画調に変換する場合、ページ送りのたびに画調変換された縮小画像が集約されていき、どの画像を選択してどの画調を選択したらよいかを把握できるプログラムを得ることができる。
【０２２３】
請求項２１記載の発明に基づく実施形態によれば、本画像を表す画像データを複数記憶する記憶手段と、表示手段とを備える画像表示装置が有するコンピュータが読み取り実行可能なプログラムであって、前記コンピュータを、前記表示手段に、前記本画像に対して縮小された画像である縮小画像を複数表示する第１の表示制御手段と、前記表示手段に表示された前記複数の縮小画像のいずれかを当該表示手段の画面上で指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、送り操作に応じて、前記表示手段に表示されている絵画調画像を残して、縮小画像を他の縮小画像に表示変更する第３の表示制御手段として機能させ、前記画調変換手段は、更に前記表示手段に表示された変換画調画像を当該表示手段の画面上で指定する操作に応じて、当該指定された変換画調画像に対応する縮小画像を異なる画調に変換し、前記第２の表示制御手段は、更に前記画調変換手段により変換された異なる画調の変換画調画像を前記指定された変換画調画像に代えて、前記表示手段に表示させるように機能させることを特徴とするプログラムを提供するので、多数の画像を多数の種類の画調に変換する場合、変換したい画像の選択と変換したい画調の種類を容易に選択できるプログラムを得るることができる。
【符号の説明】
【０２２４】
１    画像表示装置
２    本体
３    液晶表示パネル
５    タッチパネル
６    メモリカードスロット
７    ＧＰＳアンテナ
８    撮像素子
１１    ＣＰＵ
１２    ＲＯＭ
１３    ＲＡＭ
１４    内部メモリ
１６    表示制御部
１７    キー入力部制御部
１８    メモリカードインターフェース
１９    撮像制御部
２０    ＧＰＳ制御部
３０    通信制御部
３１    電話回線
３２    無線ＬＡＮ
３３    アドレス帳
４０    センサ
６０    メモリカード
６３    システムプログラム記憶部
６４    ハブ
７０    電源制御部
１００    顔認識エンジン
１０５    操作スイッチ
２００    絵画変換エンジン
３００    反応ログメモリ
３０１    一括変換ボタン
３０２    ボタン
３０５    決定ボタン
３０６    ＡＬＬボタン
３０７    ＮＥＸＴボタン
３０８    変換ボタン
４００    環境情報エンジン
４１０    パラメータメモリ
５００    インターネット
５２０    ネットワークサービスサイト
５２１    認証サーバー
５２２    メールサーバー
５２３    課金サーバー
５２４    コンテンツサーバー
５２５    絵画変換サーバー
５２６    環境情報サーバー
５３０    配信コンテンツサイト
５５０    プリントサイト
５５１    ストレージサーバー
５５２    画像表示サーバー
５５３    プリンタ
６３０    無線基地局
６３２    制御部
６３３    システムプログラム記憶部
６３４    ユーザ管理テーブル
６３５    表示部
６３６    通信制御部
６４１    通信回路処理部
６４２    メールサーバー
６４３    Ｗｅｂサーバー
６５０    ＷＷＷ
６６０    画調変換サービス会社
６６１    Ｗｅｂサーバー
６６３    管理サーバー
５２５１    パラメータテーブル
【図１】
2011243187.tif 000003
【図２（ａ）】
2011243187.tif 000004
【図２（ｂ）】
2011243187.tif 000005
【図３】
2011243187.tif 000006
【図４】
2011243187.tif 000007
【図５】
2011243187.tif 000008
【図６】
2011243187.tif 000009
【図７】
2011243187.tif 000010
【図８】
2011243187.tif 000011
【図９】
2011243187.tif 000012
【図１０】
2011243187.tif 000013
【図１１】
2011243187.tif 000014
【図１２】
2011243187.tif 000015
【図１３】
2011243187.tif 000016
【図１４】
2011243187.tif 000017
【図１５】
2011243187.tif 000018
【図１６】
2011243187.tif 000019
【図１７】
2011243187.tif 000020
【図１８】
2011243187.tif 000021
【図１９】
2011243187.tif 000022
【図２０】
2011243187.tif 000023
【図２１】
2011243187.tif 000024
【図２２】
2011243187.tif 000025
【図２３】
2011243187.tif 000026
【手続補正書】
【提出日】平成23年8月10日(2011.8.10)
【手続補正１】
【補正対象書類名】特許請求の範囲
【補正対象項目名】請求項１１
【補正方法】変更
【補正の内容】
【請求項１１】
本画像を表す画像データを記憶するステップと、
記憶されている画像データの縮小画像を複数表示するステップと、
表示されている縮小画像のいずれかが指定されると該指定された縮小画像に対して変換指示を行うステップと、
指示された縮小画像に対応する本画像の画像データに対して所定の種類の画調への画調変換処理を行い、変換画調画像を作成するステップと、
作成された変換画調画像を表示するステップと、
を有することを特徴とするコンピュータにより実行可能なプログラム。
【手続補正２】
【補正対象書類名】明細書
【補正対象項目名】００２３
【補正方法】変更
【補正の内容】
【００２３】
また、請求項１１記載の発明では、本画像を表す画像データを記憶するステップと、記憶されている画像データの縮小画像を複数表示するステップと、表示されている縮小画像のいずれかが指定されると該指定された縮小画像に対して変換指示を行うステップと、指示された縮小画像に対応する本画像の画像データに対して所定の種類の画調への画調変換処理を行い、変換画調画像を作成するステップと、作成された変換画調画像を表示するステップと、を有することを特徴とするコンピュータにより実行可能なプログラムを提供するものである。